(57)【要約】【課題】スペクトル管理システムの提供。【解決手段】スペクトル管理システムは、右、左、中央、右サイド、左サイド、右後ろ、および左後ろのチャネル等の複数の分散オーディオチャネルを有するオーディオ信号を受信および処理するように、オーディオシステムにおいて使用されてもよい。スペクトル管理システムは、分散オーディオチャネルのうちの１つ以上に含まれるオーディオコンテンツの周波数範囲を分離し、これを他の分散オーディオチャネルに経路指定してもよい。オーディオコンテンツの分離および経路指定された周波数範囲は、オーディオコンテンツの分離された周波数範囲が経路指定される、他の分散オーディオチャネル上に存在するオーディオコンテンツと組み合わされてもよい。【選択図】図２
2015167413.tif 000002
【特許請求の範囲】
【請求項１】
明細書に記載された発明。
【発明の詳細な説明】
【技術分野】
【０００１】
（関連出願の相互参照）
本願は、Ｄｏｕｇｌａｓ  Ｋ．Ｈｏｇｕｅ、Ｒｙａｎ  Ｊ．Ｍｉｈｅｌｉｃｈ、およびＪｅｆｆｒｅｙ  Ｔａｃｋｅｔｔによる米国仮特許出願第６１／１７４，８３７号（名称「Ｓｐｅｃｔｒａｌ  Ｍａｎａｇｅｍｅｎｔ」、２００９年５月１日出願）の優先権を主張し、この出願は、本明細書に参照により援用される。
【０００２】
（発明の分野）
本発明は、概して、オーディオシステムに関し、具体的には、オーディオシステムによって生成されるオーディオ信号のスペクトル管理に関する。
【背景技術】
【０００３】
ホームエンタテイメントシステムまたは車内エンタテイメントシステム等のオーディオ／ビデオシステムは、２つまたは４つのスピーカおよび２チャネルオーディオ信号のみを有するＡＭ／ＦＭコンパクトディスクプレイヤーを超えるものとして進化してきている。現在、車内オーディオシステムは、５つ以上のスピーカ位置を有する衛星受信機およびコンパクトディスク（ＣＤ）／デジタルビデオディスク（ＤＶＤ）プレイヤーを擁するホームエンタテイメントセンターに近いものになっている。同様に、家庭用オーディオ／ビデオシステムは、２チャネルステレオシステムから、７．１サラウンドサウンドオーディオシステム等のサラウンドサウンドオーディオシステムへと進化している。
【０００４】
シングル入力オーディオ信号またはチャネル（通常、「モノラル」オーディオと呼ばれる）を使用していた以前のオーディオまたはオーディオ／ビデオシステムとは異なり、最新のオーディオ／ビデオシステムは、一般的に、記録または伝送されたサウンドを再現する場合に、２つの入力オーディオ信号またはチャネル（左および右のオーディオ信号）を利用する。より多数の出力オーディオ信号を生成するように、２つのオーディオ信号に信号処理を行うことによって、２つのオーディオ信号が処理され、サラウンドサウンドオーディオ信号が作成される。新たに作成されたオーディオ信号のそれぞれはブロードバンド信号であってもよいが、ブロードバンドラウドスピーカによって再現されない可能性がある。
【発明の概要】
【発明が解決しようとする課題】
【０００５】
このため、入力オーディオ信号の周波数を分割および経路指定する際に、スピーカトランスデューサ特性を考慮するオーディオシステムにおけるスペクトル管理が必要とされている。
【課題を解決するための手段】
【０００６】
オーディオシステム内のスペクトル管理システムは、マルチチャネルオーディオ入力信号を受信および処理してもよい。スペクトル管理システムは、オーディオ信号に含まれる分散オーディオチャネル上に含まれるオーディオコンテンツを処理してもよい。分散オーディオチャネルのうちの１つ以上におけるオーディオコンテンツは、周波数バンク内の所定の同調可能な中心周波数に基づいて、低周波数部および高周波数部に分離されてもよい。分散オーディオコンテンツの分離された高周波数部または分離された低周波数部は、１つ以上の他の分散オーディオチャネルに経路指定されてもよい。経路指定された高周波数部または低周波数部は、さらにもう１つの他のオーディオチャネル上に存在するオーディオコンテンツと組み合わされてもよい。結果的に生成される分散オーディオチャネルは、オーディオシステムに適合された再配設されたオーディオコンテンツを有する適合された分散オーディオチャネルである。分散オーディオチャネル上のオーディオコンテンツの高周波数部または低周波数部の分離、経路指定および組み合わせは、オーディオチャネルに、オーディオシステムの動作を最適化するように特に適合された再配設されたオーディオコンテンツを提供しながら、オーディオ信号からのオーディオコンテンツの損失またはオーディオ信号へのオーディオコンテンツの追加を伴わずに行われてもよい。
【０００７】
オーディオシステムの所定の設定または動作上の変更可能なパラメータに基づいて、分散オーディオチャネル上のオーディオコンテンツの高周波数および／または低周波数範囲を、１つ以上の他のオーディオチャネルの間に再経路指定してもよい。このため、制限された周波数応答範囲を有するラウドスピーカを駆動するために、オーディオシステム内にオーディオチャネルが構成される場合、ラウドスピーカの周波数応答範囲外のオーディオコンテンツを、再経路指定された周波数範囲を再現することにより適しているラウドスピーカを駆動するために、オーディオシステム内に構成された１つ以上の他の分散オーディオチャネルに再経路指定してもよい。例えば、中央のラウドスピーカを駆動する中央のチャネル上の高周波数範囲内のオーディオコンテンツは、中央のチャネルから、中央のラウドスピーカよりも高い周波数を再現するためにより適している左および右のラウドスピーカを駆動するように構成された左および右のチャネルへ再経路指定してもよい。分散オーディオチャネル上のオーディオコンテンツの高周波数部または低周波数部の分離、経路指定および／または組み合わせにより、オーディオ信号からのオーディオコンテンツの損失またはオーディオ信号へのオーディオコンテンツの追加を伴わずに、望ましいオーディオシステム動作を最適化してもよい。
【０００８】
スペクトル管理システムは、例示的な実施例における完全なスペクトル管理のために、低音コンバータ、分散チャネルオーディオコンテンツルータ、およびサブウーファールータを含んでもよい。分散チャネルオーディオコンテンツルータは、高音ルータおよび低音ルータのうちの少なくとも１つを含んでもよい。他の実施例では、スペクトル管理システムのうちの１つまたは２つの部分を実施してもよい。低音コンバータは、所定の同調可能な中低音の中心周波数に基づいて、オーディオチャネルのうちの１つ以上におけるオーディオコンテンツの低周波数部から、経路指定された低音オーディオコンテンツを作成してもよい。経路指定された低音オーディオコンテンツは、分散オーディオチャネルの間に分散されてもよい。低音ルータは、所定の同調可能な中低音の中心周波数に基づいて、分散オーディオチャネルのうちの１つ以上の上のオーディオコンテンツの低周波数部を分離し、これを他の分散オーディオチャネルへ経路指定してもよい。高音ルータは、分散オーディオチャネルのうちの１つ以上におけるオーディオコンテンツの高周波数部を分離し、所定の同調可能な高音の中心周波数に基づいて、他の分散オーディオチャネルに経路指定されてもよい。サブウーファールータは、所定の同調可能なサブウーファー中心周波数に基づいて分散オーディオチャネルのうちの１つ以上の上のオーディオコンテンツの低周波数部を分離し、サブチャネルを生成するように、低周波数部を経路指定されてもよい。適合された分散オーディオチャネルおよびサブチャネルを、ラウドスピーカを駆動するように、オーディオ出力信号として提供されてもよい。
【０００９】
本発明の他のシステム、方法、および利点は、以下の図および発明を実施するための形態を検討することによって、当業者には明白である、または明白となるであろう。そのような付加的システム、方法、特徴、および利点はすべて、本説明内に含まれ、本発明の範囲内にあって、以下の請求項によって保護されることが意図される。
【００１０】
本発明は、以下の図面および説明を参照することによって、より深く理解されるであろう。図中の構成要素は、必ずしも正確な縮尺ではなく、代わりに、本発明の原理を例証するために、強調されて描かれている。さらに、図中、同一参照番号は、異なる図を通して、対応する部品を指す。
本発明は、例えば、以下を提供する。
（項目１）
スペクトル管理システムであって、該スペクトル管理システムは、
複数の分散オーディオチャネルを含む入力オーディオ信号を受信するように構成された低音コンバータであって、該低音コンバータは、該分散オーディオチャネルのうちの少なくともいくつかに含まれるオーディオコンテンツの第１の周波数範囲を分離し、および該第１の周波数範囲を合計することにより、経路指定されたオーディオ低音コンテンツを形成することがプロセッサによって実行させられ、
該低音コンバータは、該経路指定されたオーディオ低音コンテンツを経路指定し、および該分散オーディオチャネルのうちの少なくともいくつかの上に存在するオーディオコンテンツと組み合わせることと、適合された分散オーディオチャネルを形成することとがさらに実行させられ、該適合された分散オーディオチャネルのうちの少なくともいくつかは、該経路指定されたオーディオ低音コンテンツを含む、低音コンバータと、
分散チャネルオーディオコンテンツルータであって、該分散チャネルオーディオコンテンツルータは、オーディオコンテンツの第２の周波数範囲を分離し、および該適合された分散オーディオチャネルのうちの少なくとも第１のチャネルから、該適合された分散オーディオチャネルのうちの少なくとも第２のチャネルに経路指定することと、オーディオコンテンツの該第２の周波数範囲を該適合された分散オーディオチャネルのうちの該第２のチャネル上に存在するオーディオコンテンツと組み合わせることとが該プロセッサによって実行させられる、分散チャネルオーディオコンテンツルータと
を備え、
該適合された分散オーディオチャネルは、該分散オーディオチャネルのうちの該第１のチャネルと該分散オーディオチャネルのうちの該第２のチャネルとを含み、複数のラウドスピーカを駆動するように利用可能にされる、スペクトル管理システム。
（項目２）
サブウーファールータをさらに備え、該サブウーファールータは、上記適合された分散オーディオチャネルのうちの少なくともいくつかからオーディオコンテンツの第３の周波数範囲を選択的に分離し、経路指定することにより、サブチャネルを作成することを上記プロセッサによって実行させられる、項目１に記載のスペクトル管理システム。
（項目３）
上記低音コンバータは、利得段モジュールを含み、該利得段モジュールは、第１の分散チャネルのオーディオコンテンツと組み合わされたオーディオコンテンツの上記合計された第１の周波数範囲を第１の決定された量だけ減衰させ、第２の分散チャネルのオーディオコンテンツと組み合わされたオーディオコンテンツの該合計された第１の周波数範囲を第２の決定された量だけ減衰させるように構成される、項目１に記載のスペクトル管理システム。
（項目４）
オーディオコンテンツの上記合計された第１の周波数範囲は、左の混合低周波数オーディオ信号と、右の混合低周波数オーディオ信号とを含み、該左右の混合低周波数オーディオ信号は、上記分散オーディオチャネルに含まれる複数のそれぞれの左右の分散オーディオチャネルのオーディオコンテンツから形成される、項目１に記載のスペクトル管理システム。
（項目５）
上記分散オーディオチャネル上に存在する残りのオーディオコンテンツと合計された上記左右の混合オーディオ信号は、異なる率で減衰させられることにより、上記適合された分散オーディオチャネルを用いて、モノラルの経路指定された低音オーディオ信号またはステレオの経路指定された低音オーディオ信号を生成し得る、項目４に記載のスペクトル管理システム。
（項目６）
上記分散チャネルのオーディオコンテンツルータは、低音ルータおよび高音ルータのうちの少なくとも１つを備え、上記オーディオコンテンツの第２の所定の周波数範囲は、中低音オーディオコンテンツと、高音オーディオコンテンツとを含み、該低音ルータは、該中低音オーディオコンテンツを分離し、経路指定し、および組み合わせるように実行させられ、該高音ルータは、該高音オーディオコンテンツを分離し、経路指定し、組み合わせるように実行させられる、項目１に記載のスペクトル管理システム。
（項目７）
上記第１の周波数範囲および上記第２の周波数範囲は、上記低音ルータおよび上記分散チャネルオーディオコンテンツルータの各々に含まれる、少なくとも１つのそれぞれの２次フィルタの異なる所定の同調可能な中心周波数に基づいて確立される、項目１に記載のスペクトル管理システム。
（項目８）
上記入力オーディオ信号に含まれる分散オーディオチャネルの数は、複数のそれぞれのラウドスピーカを駆動するように上記スペクトル管理システムによって提供された出力オーディオ信号に含まれる分散オーディオチャネルの数と等しい、項目１に記載のスペクトル管理システム。
（項目９）
マルチチャネルオーディオ信号のスペクトル管理の方法であって、該方法は、
プロセッサによって実行させられる低音コンバータを用いて、複数の分散オーディオチャネルを含む入力オーディオ信号を受信することと、
該分散オーディオチャネルのうちの少なくともいくつかの上で該低音コンバータによって受信されたオーディオコンテンツの第１の周波数範囲を分離および合計することと、
該低音コンバータを用いて、該オーディオコンテンツの合計された第１の周波数範囲を、該分散オーディオチャネルのうちの少なくともいくつかの上に存在する残りのオーディオコンテンツと組み合わせることと、
適合された分散オーディオチャネルを形成することであって、該適合された分散オーディオチャネルの少なくともいくつかは、該オーディオコンテンツの合計された第１の周波数範囲を含む、ことと、
オーディオコンテンツの第２の周波数範囲を分離し、これを該適合された分散オーディオチャネルのうちの第１のチャネルから、該適合された分散オーディオチャネルのうちの第２のチャネルに、該プロセッサによって実行させられる分散チャネルオーディオコンテンツルータを用いて経路指定することと、
該分散チャネルオーディオコンテンツルータを用いて、該オーディオコンテンツの第２の周波数範囲を、該適合された分散オーディオチャネルのうちの該第２のチャネル上に存在するオーディオコンテンツと組み合わせることと、
複数のラウドスピーカを駆動するように、該適合された分散オーディオチャネルのうちの該第１のチャネルと、該適合された分散オーディオチャネルのうちの該第２のチャネルとを含む該適合された分散オーディオチャネルを利用可能にすることと
を含む、方法。
（項目１０）
上記分散オーディオチャネルの数を、上記適合された分散オーディオチャネルの数と等しく維持することをさらに含む、項目９に記載の方法。
（項目１１）
上記オーディオコンテンツの第２の周波数範囲を分離し、これを上記適合された分散オーディオチャネルのうちの上記第１のチャネルから該適合された分散オーディオチャネルのうちの上記第２のチャネルに経路指定することは、該適合された分散オーディオチャネルのうちの該第２のチャネルと連結された第１のラウドスピーカが、該適合された分散オーディオチャネルのうちの該第１のチャネルと連結された第２のラウドスピーカよりも、オーディオコンテンツの該第２の周波数範囲によって駆動されるように最適化されることを決定することをさらに含む、項目９に記載の方法。
（項目１２）
上記適合された分散オーディオチャネルのうちの上記第２のチャネルは、右のチャネルと左のチャネルとを含み、オーディオコンテンツの第２の周波数範囲を分離し、これを該適合された分散オーディオチャネルのうちの第１のチャネルから、該適合された分散オーディオチャネルのうちの該第２のチャネルへ経路指定することは、該オーディオコンテンツの該第２の周波数範囲を半分に分割することと、該オーディオコンテンツの第２の周波数範囲の第１の半分を該右のチャネルに、該オーディオコンテンツの第２の周波数範囲の第２の半分を該左のチャネルに、経路指定することを含む、項目９に記載の方法。
（項目１３）
上記適合された分散オーディオチャネルのうちの上記第１のチャネルは、中央のチャネルを備え、オーディオコンテンツの第２の周波数範囲を分離し、これを該適合された分散オーディオチャネルのうちの該第１のチャネルから、該適合された分散オーディオチャネルのうちの第２のチャネルに経路指定することは、中央チャネルラウドスピーカを駆動するために、該中央チャネル上の該オーディオコンテンツの残りの周波数範囲を維持することを含む、項目１２に記載の方法。
（項目１４）
上記オーディオコンテンツの合計された第１の周波数範囲は、右の混合低音オーディオ信号と左の混合低音オーディオ信号とを含み、該オーディオコンテンツの合計された第１の周波数範囲を上記分散オーディオチャネル上に存在する残りのオーディオコンテンツと組み合わせることは、上記適合された分散オーディオチャネル上でモノラルの経路指定された低音オーディオコンテンツまたはステレオの経路指定された低音オーディオコンテンツのうちの１つを作成するために、該右の混合低音オーディオ信号および該左の混合低音オーディオ信号を選択的に減衰させることを含む、項目９に記載の方法。
（項目１５）
上記プロセッサによって実行させられるサブウーファールータを用いてサブチャネルを生成するために、上記適合された分散オーディオチャネルのうちの少なくともいくつかから、オーディオコンテンツの第３の周波数範囲を選択的に分離および経路指定することをさらに含み、上記サブウーファーチャネルは、上記ラウドスピーカを駆動するために、該適合された分散オーディオチャネルとともに利用可能にされる、項目９に記載の方法。
（項目１６）
スペクトル管理システムであって、
プロセッサと、
オーディオコンテンツを含有する複数の分散オーディオチャネルを処理するように該プロセッサによって実行させられる分散チャネルオーディオコンテンツルータと
を備え、
該分散チャネルオーディオコンテンツルータは、該分散オーディオチャネルのうちの第１のチャネル上に含まれるオーディオコンテンツの所定の周波数範囲を分離するようにさらに実行させられ、
該分散チャネルオーディオコンテンツルータは、再配設されたオーディオコンテンツを有する適合された分散オーディオチャネルを作成するために、該オーディオコンテンツの該分離された所定の周波数範囲を、該分散オーディオチャネルのうちの第２のチャネルおよび該分散オーディオチャネルのうちの第３のチャネルの両方に経路指定するようにさらに実行させられる、スペクトル管理システム。
（項目１７）
上記所定の周波数範囲は、第１の所定の周波数範囲であり、上記分散チャネルオーディオコンテンツルータは、上記分散オーディオチャネルのうちの第４のチャネルおよび該分散オーディオチャネルのうちの第５のチャネルに含まれる、オーディオコンテンツの第２の所定の周波数範囲を分離するように、および該オーディオコンテンツの該分離された所定の周波数範囲を、該分散オーディオチャネルのうちの第６のチャネルおよび該分散オーディオチャネルのうちの第７のチャネルに経路指定して、再配設されたオーディオコンテンツを有する適合された分散オーディオチャネルを作成するようにさらに構成される、項目１６に記載のスペクトル管理システム。
（項目１８）
上記分散オーディオチャネルのうちの上記第１のチャネルは、中央チャネルであり、該分散オーディオチャネルのうちの上記第２のチャネルおよび該分散オーディオチャネルのうちの上記第３のチャネルは、それぞれ右前チャネルおよび左前チャネルである、項目１６に記載のスペクトル管理システム。
（項目１９）
上記所定の周波数範囲は、第１の所定の周波数範囲であり、上記スペクトル管理システムは、上記分散オーディオチャネルのうちの少なくともいくつかを処理して、該分散オーディオチャネルのうちの少なくともいくつかの上に含まれる上記オーディオコンテンツの第２の所定の周波数範囲を分離するように、上記プロセッサによって実行させられるサブウーファールータをさらに含み、該サブウーファールータは、該分離された第２の所定の周波数範囲のみを含むサブチャネルを生成するように構成され、該第２の所定の周波数範囲内の周波数範囲は、該第１の所定の周波数範囲内の周波数範囲よりも小さい、項目１６に記載のスペクトル管理システム。
（項目２０）
上記分散チャネルオーディオコンテンツルータは、低音ルータと高音ルータとを含み、上記所定の周波数範囲は、低周波数範囲と高周波数範囲とを含み、該低音ルータは、該低周波数範囲を分離および経路指定するように上記プロセッサによって実行可能であり、該高音ルータは、該高周波数範囲を分離および経路指定するように該プロセッサによって実行可能である、項目１６に記載のスペクトル管理システム。
（項目２１）
オーディオコンテンツを含有する複数のオーディオチャネルを含む入力オーディオ信号を受信するように構成される低音コンバータをさらに含み、該オーディオチャネルは、上記分散オーディオチャネルを含み、該低音コンバータは、該分散オーディオチャネルのうちの少なくともいくつかに含まれる該オーディオコンテンツの低音周波数範囲を分離し、かつ、該低音周波数範囲を組み合わせてオーディオ低音コンテンツを形成するように、上記プロセッサによって実行させられ、該低音コンバータは、該オーディオ低音コンテンツを経路指定し、これを該分散オーディオチャネル上に存在する該オーディオコンテンツと組み合わせるようにさらに実行させられる、項目１６に記載のスペクトル管理システム。
（項目２２）
上記オーディオチャネルは、上記分散オーディオチャネルと、低周波数効果チャネルとを含み、上記低音コンバータは、該低周波数効果チャネル上に含まれるオーディオコンテンツを経路指定し、これを該分散オーディオチャネル上に含まれるオーディオコンテンツと組み合わせるように、上記プロセッサによって実行可能である、項目２１に記載のスペクトル管理システム。
（項目２３）
マルチチャネルオーディオ信号のスペクトル管理の方法であって、
プロセッサによって分散チャネルオーディオコンテンツルータを実行させることと、
該プロセッサによって実行させられている該分散チャネルオーディオコンテンツルータを用いて、オーディオコンテンツを含有する複数の分散オーディオチャネルを処理することと、
該プロセッサによって実行させられている該分散チャネルオーディオコンテンツルータを用いて、該分散オーディオチャネルのうちの第１のチャネル上に含まれる該オーディオコンテンツの所定の周波数範囲を分離することと、
再配設されたオーディオコンテンツを有する適合された分散オーディオチャネルを作成するように該プロセッサによって実行させられている該分散チャネルオーディオコンテンツルータを用いて、該オーディオコンテンツの該分離された所定の周波数範囲を、該分散オーディオチャネルのうちの第２のチャネルおよび該分散オーディオチャネルのうちの第３のチャネルに経路指定することと、
該再配設されたオーディオコンテンツを有する適合された分散オーディオチャネルを含む出力オーディオ信号を形成することであって、該出力オーディオ信号は、ラウドスピーカを駆動するために利用可能である、ことと
を含む、方法。
（項目２４）
上記プロセッサによって実行させられている低音コンバータを用いて、上記分散オーディオチャネルのうちの少なくともいくつかの上記オーディオコンテンツに含まれる低音周波数の範囲を分離することと、
該低音コンバータが、オーディオ低音コンテンツを形成するように該低音周波数の範囲を組み合わせることと、
該オーディオ低音コンテンツを経路指定し、これを該分散オーディオチャネル上に存在する上記オーディオコンテンツと該低音コンバータによって組み合わせることと
をさらに含む、項目２３に記載の方法。
（項目２５）
上記入力オーディオ信号に含まれるオーディオコンテンツの全エネルギーレベルを、上記出力オーディオ信号内に含まれるオーディオコンテンツの全エネルギーレベルと等しく維持することをさらに含む、項目２３に記載の方法。
（項目２６）
スペクトル管理システムであって、
第１の所定の同調可能な中心周波数に基づいて、複数の分散オーディオチャネルの各々の上で受信されるオーディオコンテンツを、オーディオコンテンツの第１の高周波数範囲およびオーディオコンテンツの第１の低周波数範囲に分離するように、プロセッサによって実行可能な低音コンバータであって、該分散オーディオチャネルは、複数の左の分散オーディオチャネルと複数の右の分散オーディオチャネルとを備える、低音コンバータを備え、
該低音コンバータは、該左の分散オーディオチャネルからの該オーディオコンテンツの該第１の低周波数範囲を合計して、左の混合低周波数オーディオ信号を形成するように、および該右の分散オーディオチャネルからの該オーディオコンテンツの該第１の低周波数範囲を合計して、右の混合低周波数オーディオ信号を形成するように、該プロセッサによってさらに実行可能であり、
該低音コンバータは、該右の混合低周波数オーディオ信号を、該右の分散オーディオチャネルおよび該左の分散オーディオチャネルのうちの少なくとも１つの上に存在するオーディオコンテンツの高周波数範囲と組み合わせるように、および該左の混合低周波数オーディオ信号を、該左の分散オーディオチャネルおよび該右の分散オーディオチャネルのうちの少なくとも１つの上に存在するオーディオコンテンツの該高周波数範囲と組み合わせて、複数の適合された分散オーディオチャネルを形成するように、該プロセッサを用いてさらに実行可能である、スペクトル管理システム。
（項目２７）
第２の所定の同調可能な中心周波数に基づいて、上記適合された分散オーディオチャネルのうちの少なくとも１つの上に含まれる上記オーディオコンテンツを、オーディオコンテンツの第２の高周波数範囲およびオーディオコンテンツの第２の低周波数範囲に分離するように、上記プロセッサによって実行させられる分散チャネルオーディオコンテンツルータをさらに備え、
該分散チャネルオーディオコンテンツルータは、該オーディオコンテンツの第２の高周波数範囲または該オーディオコンテンツの第２の低周波数範囲を経路指定し、これを該適合された分散オーディオチャネル上に存在するオーディオコンテンツと組み合わせるようにさらに実行可能である、項目２６に記載のスペクトル管理システム。
（項目２８）
上記低音コンバータは、上記分散オーディオチャネルによってオーディオコンテンツを有する低周波数効果チャネルを受信するようにさらに実行可能であり、該低音コンバータは、上記左の混合低周波数オーディオ信号を有する、該低周波数効果チャネル上に含まれる該オーディオコンテンツの半分と、上記右の混合低周波数オーディオ信号を有する、該低周波数効果チャネル上に含まれる該オーディオコンテンツの半分とを合計するように、上記プロセッサによって実行可能である、項目２６に記載のスペクトル管理システム。
（項目２９）
上記適合された分散オーディオチャネルのうちの１つ以上の上に含まれるオーディオコンテンツからサブオーディオコンテンツを選択的に分離し、および該分離されたサブオーディオコンテンツを含むサブチャネルを形成するように、上記プロセッサによって実行させられるサブウーファールータをさらに含む、項目２６に記載のスペクトル管理システム。
（項目３０）
上記分散オーディオチャネルの数は、適合された分散オーディオチャネルの数と等しい、項目２６に記載のスペクトル管理システム。
（項目３１）
プロセッサによって実行可能である、記憶された命令を自身の上に有するメモリ記憶デバイスであって、該メモリ記憶デバイスは、
複数の分散オーディオチャネルの各々の上で受信されるオーディオコンテンツの第１の周波数範囲を分離および合計する命令と、
オーディオコンテンツの該合計された第１の周波数範囲を、該分散オーディオチャネル上に存在する残りのオーディオコンテンツと組み合わせて、適合された分散オーディオチャネルを形成する命令と、
オーディオコンテンツの第２の周波数範囲を分離し、これを該適合された分散オーディオチャネルのうちの第１のチャネルから、該適合された分散オーディオチャネルのうちの第２のチャネルに経路指定する命令と、
該オーディオコンテンツの第２の周波数範囲を、該適合された分散オーディオチャネルのうちの該第２のチャネル上に存在するオーディオコンテンツと組み合わせる命令と、
オーディオコンテンツの第３の周波数範囲を選択的に分離し、これを該適合された分散オーディオチャネルのうちの少なくともいくつかから経路指定して、サブチャネルを生成する命令と、
複数のラウドスピーカを駆動するように、該適合された分散オーディオチャネルおよび該生成されたサブチャネルを利用可能にする命令と
を含む、メモリ記憶デバイス。
（項目３２）
上記分散オーディオチャネルの数を、上記適合された分散オーディオチャネルの数と等しく維持する命令をさらに含む、項目３１に記載のコンピュータ記憶デバイス。
（項目３３）
上記オーディオコンテンツの第２の周波数範囲を分離し、これを上記適合された分散オーディオチャネルのうちの上記第１のチャネルから、該適合された分散オーディオチャネルのうちの上記第２のチャネルに経路指定する上記命令は、該適合された分散オーディオチャネルのうちの該第２のチャネルと連結された第１のラウドスピーカが、該適合された分散オーディオチャネルのうちの該第１のチャネルと連結された第２のラウドスピーカよりも、該オーディオコンテンツの第２の周波数範囲を用いて駆動されるように、より良く最適化されていることを決定する命令を含む、項目３１に記載のコンピュータ記憶デバイス。
【図面の簡単な説明】
【００１１】
【図１】図１は、例示的なオーディオエンタテイメントシステム（ＡＥＳ）のブロック図である。
【図２】図２は、図１のスペクトル管理システムの例示的なブロック図である。
【図３】図３は、図１のスペクトル管理システムの代替の例示的なブロック図である。
【図４】図４は、図１のスペクトル管理システムの別の代替の例示的な図である。
【図５】図５は、図１のスペクトル管理システムのさらに別の代替の例示的な図である。
【図６】図６は、図１のスペクトル管理システムのさらに別の代替の例示的な図である。
【図７】図７は、図２の低音コンバータの例示的なブロック図である。
【図８】図８は、図２および図７の低音コンバータの例示的なブロック図を示す。
【図９】図９は、図２の低音ルータの例示的なブロック図である。
【図１０】図１０は、図２および図９の低音ルータのより詳細な例示的なブロック図である。
【図１１】図１１は、図２の高音ルータの例示的なブロック図である。
【図１２】図１２は、図２および図１１の低音ルータのより詳細なブロック図である。
【図１３】図１３は、図２のサブウーファールータの例示的なブロック図である。
【図１４】図１４は、図２および図９のサブウーファールータのより詳細なブロック図である。
【図１５】図１５は、図１〜１４のスペクトル管理システムの例示的な動作の流れ図である。
【図１６】図１６は、図１５の動作の流れ図の第２の部分である。
【発明を実施するための形態】
【００１２】
種々の実施の例の以下の詳細な記載において、図に示されるまたは本願に記載される能力ブロック、デバイス、コンポーネントまたは他の物理的あるいは能力的なユニットの間の任意の直接の接続または連結は、間接的な接続または連結によって実施することもできることが理解される。さらに、本願に記載された種々の実施例の特徴は、特に明記されない限り、互いに組み合わせてもよいことが理解される。
【００１３】
デジタルプレイヤーを有するオーディオ／ビデオエンタテイメントシステム（ＡＥＳ）は、ＡＥＳまたは外部制御上に配置された制御を用いることにより、オーディオプログラムを再生するように構成されてもよい。オーディオ／ビデオ信号は、１つ以上の入力においてオーディオ／ビデオ源からオーディオおよび／またはビデオ信号を受信し、次いで、さらに、オーディオおよび／またはビデオ信号を処理することができる、オーディオ／ビデオデバイスまたはシステムを記述するために用いられる総称である。オーディオ／ビデオ源は、デジタル的に記憶されたファイル、コンパクトディスクまたはデジタルビデオディスク、ライブオーディオ／ビデオ、またはオーディオ／ビデオ信号のいずれかの他の源等の複数メディアに事前に記録されてもよい。図１に、本発明の例示的な実施例に従うＡＥＳ１０２のブロック図１００を図示する。
【００１４】
ＡＥＳ１０２は、ソフトウェア、ハードウェア、および／またはハードウェアおよびソフトウェアのいくつかの組み合わせを含んでもよい。ソフトウェアは、メモリデバイス内に記憶された形態または命令にしてもよい。ハードウェアは、回路、電子コンポーネント、回路基板、およびいずれかの他の電子部を含んでもよい。ＡＥＳ１０２は、ＡＭ／ＦＭアンテナ１０６に連結されるチューナ１０４等のオーディオ／ビデオ源を含んでもよい。チューナ１０４は、各チューナがＡＭ／ＦＭアンテナ１０６に連結されている、１つ以上の実際のチューナにしてもよい。チューナ１０４は、さらに、コントローラおよび／またはデジタル信号プロセッサ（ＤＳＰ）１０８あるいはデジタル信号を処理できる他の種類のプロセッサまたはコントローラに連結してもよい。衛星受信機１１０は、さらに、ＤＳＰ１０８および衛星アンテナ１１２に接続されるオーディオ／ビデオ源であってもよい。レコーダまたはデジタルプレイヤー１１４は、ＡＥＳ１０２のコンポーネントとして動作する別のオーディオ／ビデオ源にしてもよく、ＤＳＰ１０８に接続する制御およびデータラインまたはバスを有してもよい。コンパクトディスク（ＣＤ）および／またはデジタルビデオディスク（ＤＶＤ）プレイヤー１１６は、さらに、ＡＥＳ１０２部を形成し、ＤＳＰ１０８に連結されるオーディオ／ビデオ源にしてもよい。さらに、リアルタイムクロック（ＲＴＣ）１１８は、ＡＥＳ１０２に時間表示を提供してもよい。ＲＴＣ１１８は、さらに、ＤＳＰ１０８および衛星受信機１１０に結合されてもよい。ＡＥＳ１０２を構成し、使用するための制御が、制御１２２等のＡＥＳ１０２とともに、または外部制御１２４等、ＡＥＳ１０２の外部に配置されてもよい。他の例において、ナビゲーションシステム、テレビチューナ、携帯電話、デジタルコンテンツ記憶デバイス、インターネットのワイヤレス接続またはオーディオおよび／またはビデオデータコンテンツのいずれかの他の源等のいずれかの他のオーディオ／ビデオ源が、ＡＥＳ１０２内に含まれてもよい、またはこれと接続してもよい。
【００１５】
ＡＥＳ１０２は、さらに、メモリ１２６および電力供給または電源１２８を有してもよい。メモリ１２６は、内部メモリ、リムーバブルメモリ、または内部、外部、およびリムーバブルメモリの組み合わせを含んでもよい。ＡＥＳ１０２は、ソフトウェア、ハードウェア、および／またはハードウェアおよびソフトウェアのいくつかの組み合わせを含む１つ以上のコンポーネントを含んでもよい。本明細書に記載されているように、コンポーネントは、ソフトウェアモジュール、ハードウェアモジュールまたはコントローラあるいはプロセッサ１０８によって実行可能なそのいくつかの結合を含むように定義される。ソフトウェアモジュールは、コントローラまたはプロセッサ１０８あるいは他のプロセッサによって実行可能な、メモリ１２６、または他のメモリデバイス内に記憶された命令を含んでもよい。ハードウェアモジュールは、コントローラまたはプロセッサ１０８による実行のために、実行可能、方向付けされた、および／または制御された種々のデバイス、コンポーネント、回路、ゲート、回路基板等を含んでもよい。
【００１６】
スペクトル管理システム１３０は、右前（ＲＦ）スピーカ１３２、左前（ＬＦ）スピーカ１３４、中央スピーカ（Ｃ）１３６、左サイド（ＬＳ）スピーカ１３８、右サイド（ＲＳ）スピーカ１４０、右後ろ（ＲＢ）スピーカ１４２、左後ろ（ＬＢ）スピーカ１４４、およびサブウーファー１４６等の、車内に配置される多数の異なるトランスデューサまたはラウドスピーカへ信号を経路指定するＡＥＳ１０２内に存在するコンポーネントであってもよい。ＡＥＳ１０２内の各ラウドスピーカは、所定の周波数範囲を再現するために適していてもよい。例えば、サブウーファーは、２００Ｈｚより小さい周波数を再現するために適していてもよい。
【００１７】
スペクトル管理システム１３０は、所定の設定入力に基づいて動作し、ＡＥＳ１０２のユーザによって、メモリ内に記憶されてもよい。加えてまたは代替として、かかる所定の設定は、ＡＥＳ１０２のメモリの中に記憶され、スペクトル管理システム１３０によって使用されてもよいラウドスピーカ位置、周波数応答曲線、電力出力能力等のシステム構成パラメータ設定、システム構成の詳細を含んでもよい。かかる所定の設定は、さらに、設定がＡＥＳ１０２のユーザ（リスナー）によって変更不可能なように、ＡＥＳ１０２が設計された時点において、ＡＥＳ１０２の設計者によって入力されてもよい。代替としてまたは加えて、所定の設定の選択は、室内または車内等のリスニングスペースにおいて可聴のサウンドを提供するために、ＡＥＳ１０２を動作する消費者等のＡＥＳ１０２のユーザ（リスナー）によって、変更可能／構成可能であってもよい。
【００１８】
スペクトル管理システム１３０は、さらに、ＡＥＳ１０２制御、ユーザ制御またはＡＥＳ１０２に提供された外部信号等の動作上の変更可能なパラメータに基づいて動作してもよい。ＡＥＳ１０３の制御は、過電圧、過電流、高温、クリップ検知、オーディオコンテンツ源の表示、または動作を示すＡＥＳ１０２内で生成されたいずれかの他のパラメータ等の保護表示を含んでもよい。ユーザ制御は、ＡＥＳ１０２の音量制御、ゾーン制御（フェードおよびバランス制御等）、均等化制御、またはＡＥＳ１０２の動作および実行に影響するいずれかの他のユーザ入力されたパラメータ等の、ＡＥＳ１０２の動作のいずれかのユーザ入力された調整を含んでもよい。ＡＥＳ１０２に提供された外部信号は、周囲温度、バックグラウンドノイズおよびオーディオコンテンツに関連する表示等のリスニングスペースに関連するパラメータを含んでもよい。リスニングスペースに関連するパラメータは、ＡＥＳ１０２の動作上の実行に影響するいずれかのパラメータの指示の入力を含んでもよい。例えば、リスニングスペースが車両内部である場合、リスニングスペースに関連するパラメータは、窓が開いているかどうか、エンジン速度、振動、コンバーチブルトップが開いているかどうか、またはＡＥＳ１０２の動作上の実行に影響するいずれかの他のパラメータ等の表示を含んでもよい。オーディオコンテンツ表示は、ジャンル（ジャズ、ロック、トーク等）等のオーディオコンテンツ、または音楽または音声、ライブパフォーマンス等のオーディオコンテンツの種類に関連するいずれかの他の情報とともに含まれるメタデータを含んでもよい。
【００１９】
ＡＥＳ１０２は、スペクトル管理システム１３０とともにＡＥＳ内に含まれてもよいコンポーネントの種類を示すように提供される例示的な実施例にすぎない。他の実施例では、異なるデバイスを、オーディオ／ビデオシステムを作成するために外部に接続される１つ以上の個別のデバイスとして、車内またはホームエンタテイメントシステム内に配置してもよい。さらに、ＡＥＳ１０２の異なるデバイスの接続が、図１に実線で示される。これらの線は、制御ライン、オーディオチャネル、電気的バス、またはデータ、制御信号、および／またはオーディオ信号を伝達してもよい制御ライン、オーディオチャネル、および電気的バスの組み合わせであってもよい。
【００２０】
電力制御モジュール１４６は、電力供給またはバッテリ１２８、ＲＴＣ１１８およびＤＳＰ１０８へ連結されてもよい。ＲＴＣ１８８は、いくつかの実施例で、設定可能な時間を有してもよい。かかる実施例は、電力制御モジュール１４６との複数の結合を有するＲＴＣ１１８とともに、図１に示される。ＲＴＣ１１８へ電力を供給するために電力ラインまたはバスが存在してもよく、また、ＡＥＳ１０２の少なくとも一部分に電圧を加えるために、ＲＴＣ１１８が、電力制御モジュール１４６に信号を送信することができるように、通信バスまたは起動ラインが存在してもよい。
【００２１】
図２を参照すると、図１のスペクトル管理システム１３０の例のブロック図２００が図示されている。スペクトル管理システム１３０は、モノラルの低音コンバータ２０２、分散チャネルオーディオコンテンツルータ２０４、およびサブウーファールータ２０６を含む。分散チャネルオーディオコンテンツルータ２０４は、高音ルータ２０８および低音ルータ２１０のうちの一方または両方を含んでもよい。スペクトル管理システム１３０は、ステレオチャネル（右（Ｒ）、左（Ｌ））、５つの分散オーディオチャネル（Ｒ、Ｌ、中央（Ｃ）、右後ろ（ＲＲ）、左後ろ（ＬＲ））を有するサラウンド、５つ以上の分散オーディオチャネル（Ｒ、Ｌ、Ｃ、ＲＲ、ＬＲ）および低周波数効果（ＬＦＥ）チャネルを有する５．１サラウンド、６つの分散オーディオチャネル（Ｒ、Ｌ、Ｃ、ＲＲ、ＬＲ、中央の（ＣＲ））およびＬＦＥチャネルを有する６．１サラウンド、７つの分散オーディオチャネル（Ｒ、Ｌ、Ｃ、右サイド（ＲＳ）、左サイド（ＬＳ）、ＲＲ、ＬＲ）およびＬＦＥチャネルを有するＬｏｇｉｃ７（登録商標）、またはラウドスピーカに経路指定されるオーディオ信号を形成する任意の他の数のチャネル等の、決定されたオーディオチャネル数で構成されるオーディオ／ビデオ源からの入力オーディオ信号を受信してもよい。本明細書で用いられるように、「分散オーディオチャネル（ｄｉｓｔｒｉｂｕｔｅｄ  ａｕｄｉｏ  ｃｈａｎｎｅｌ）」または「分散オーディオチャネル（ｄｉｓｔｒｉｂｕｔｅｄ  ａｕｄｉｏ  ｃｈａｎｎｅｌｓ）」という用語は、ＬＦＥチャネルまたはサブチャネル以外のすべてのオーディオチャネルを指す。
【００２２】
入力オーディオ信号内に提供されるチャネルは、オーディオコンテンツによって指定されてもよく、またはオーディオ／ビデオ源からオーディオ信号内に受信される、より少ないか、またはより多い数のチャネルをアップミキシングまたはダウンミキシングすることにより、ＡＥＳ１０２によって生成されてもよい。オーディオ信号内で受信されたオーディオチャネルのそれぞれの中に含まれるオーディオコンテンツは、オーディオコンテンツが含有されるチャネルに基づいて、特定のラウドスピーカに経路指定するために事前に指定される。例えば、中央のオーディオチャネルは、ＡＥＳ１０２内の１つ以上の中央のラウドスピーカとして構成されるラウドスピーカに経路指定するために指定され、右後ろのオーディオチャネルは、ＡＥＳ１０２内の右後ろラウドスピーカとして指定される１つ以上のラウドスピーカに経路指定するために指定される。
【００２３】
しかしながら、スペクトル管理システム１３０は、異なるオーディオチャネルに含まれるオーディオコンテンツ内の周波数範囲を分離し、以前に記載されているように、これらの分離された周波数範囲を、ラウドスピーカ周波数応答、ラウドスピーカ位置等のシステム構成、および任意の他の記憶／受信された情報またはパラメータを考慮するオーディオコンテンツの中に含まれる同じかまたは異なるオーディオチャネルに再経路指定してもよい。再経路指定された周波数範囲を含有するオーディオチャネルは、再配設されたオーディオコンテンツとともに、オーディオチャネルを有する出力オーディオ信号に形成されてもよい。
【００２４】
このオーディオコンテンツ周波数範囲の分離および再結合を実行するために、スペクトル管理システム１３０は、オーディオ信号内に含まれる任意のスペクトルエネルギーコンテンツの損失を回避してもよい。言い換えると、スペクトル管理システム１３０は、入力オーディオ信号のいずれの部分も喪失せずに、分離、再経路指定、およびオーディオコンテンツの周波数の分離された範囲の結合を実行する。代わりに、スペクトル管理システム１３０によって受信された入力オーディオ信号全体が、ラウドスピーカを駆動するように適合されたオーディオチャネルを有する出力オーディオ信号として、スペクトル管理システム１３０によって供給される。出力オーディオ信号内に含まれるオーディオチャネルは、スペクトル管理システム１３０が動作しているＡＥＳ１０２のために再配設されたオーディオコンテンツに起因して、「適合された」オーディオチャネルと称される。オーディオチャネルは、忠実度を最適化し、歪みを最小にし、ＡＥＳ１０２の電力消費、および／またはオーディオチャネル上のオーディオコンテンツの周波数範囲の配設の影響を受ける任意の他のシステム状態を最小にするように、ＡＥＳ１０２のパラメータに適合されてもよい。
さらに、オーディオ入力信号内に提供された分散チャネルの数は、オーディオ出力信号内のスペクトル管理システム１３０によって適合された分散オーディオチャネルとして提供されるものと同じ量である。従って、動作時において、スペクトル管理システム１３０は、オーディオ信号内に含有されるオーディオチャネル内の異なる分離された周波数範囲を経路指定してもよく、それにより、入力オーディオ信号に含有されるオーディオコンテンツの損失を伴わずに、所望の周波数範囲が所望のオーディオチャネルに関連付けられ、続いて、ＡＥＳ１０２に関連付けられた適切なラウドスピーカ１３２−１４６に提供される。
【００２５】
オーディオ信号内のオーディオチャネルは、スペクトル管理システム１３０において受信されてもよく、スペクトル管理システム１３０に含まれる低音コンバータ２０２によって選択的に処理されてもよい。分散オーディオチャネルのうちの少なくともいくつかの低周波数範囲は、低音コンバータ２０２によってそれぞれの分散オーディオチャネル上に存在するオーディオコンテンツの残りの周波数範囲から分離されてもよい。分散オーディオチャネルの分離された低周波数範囲は、低音コンバータ２０２によって経路指定された低音オーディオコンテンツを形成するように合計されてもよい。さらに、ＬＦＥオーディオチャネルがスペクトル管理システム１３０によって受信される場合、ＬＦＥチャネル上のオーディオコンテンツは、経路指定された低音オーディオコンテンツを形成するオーディオチャネルの分離された低周波数範囲の合計とともに含まれてもよい。
【００２６】
低音コンバータ２０２による経路指定された低音オーディオコンテンツの形成は、分散オーディオチャネルのうちの少なくともいくつかを低域通過フィルタ処理および高域通過フィルタ処理することによって作成されてもよい。低域通過フィルタ処理によって、分散オーディオチャネルのうちのそれぞれからオーディオコンテンツの所定の低周波数範囲が生じ、高域通過フィルタ処理によって、分散オーディオチャネルのうちのそれぞれからオーディオコンテンツの所定のより高い周波数範囲が生じる。特定のオーディオチャネルの低域通過フィルタ処理されたオーディオコンテンツおよび高域通過フィルタ処理されたオーディオコンテンツの結合は、特定のオーディオチャネルのオーディオコンテンツ全体を示してもよい。分散オーディオチャネルのそれぞれの低周波数範囲部分（または部）およびより高い周波数範囲部分（または部）への分割は、所定の同調可能な低音中心周波数に基づいてもよい。一例において、所定の同調可能な低音中心周波数は、約８０Ｈｚであってもよく、こうして、低域通過フィルタ処理されたオーディオコンテンツの周波数範囲は約０Ｈｚ〜８０Ｈｚ、高域通過フィルタ処理されたオーディオコンテンツは約８０Ｈｚ〜約２０ｋＨｚになる。他の例において、いずれかの他の所定の同調可能な低音中心周波数は、５０Ｈｚ〜３００Ｈｚの範囲等で使用してもよい。
【００２７】
低域通過フィルタ処理されたオーディオコンテンツの帯域幅は、人間の可聴範囲の下限において形成される経路指定された低音オーディオ信号を形成するように組み合わされてもよい。他の実施例では、分散オーディオチャネルのすべてより少ないものが、経路指定された低音オーディオ信号を作成するように低域通過フィルタ処理され、低音コンバータ２０２によって組み合わされてもよいが、残りの分散オーディオチャネルは、所定の低周波数範囲および所定の高周波数範囲の両方内の分割されていないオーディオコンテンツを含んでもよい。
【００２８】
経路指定された低音オーディオ信号の生成後、低音コンバータ２０２は、経路指定された低音オーディオ信号を、分散オーディオチャネルのうちの少なくとも一部分のそれぞれの高域通過フィルタ処理されたオーディオコンテンツ（経路指定されていないオーディオコンテンツ）と合計してもよい。このため、低音コンバータ２０２によって処理される左前、右前、中心、右サイド、左サイド、左後ろ、および右後ろのオーディオチャネル等の分散オーディオチャネルのうちの少なくともいくつかは、所定の同調可能な低音中心周波数を超える空間コンポーネントである経路指定されていない周波数スペクトルコンポーネント、および所定の同調可能な低音中心周波数より小さい低音コンポーネントを含んでもよい。場合により、分散オーディオチャネルのうちの１つ以上を、それぞれのチャネル上のオーディオコンテンツの周波数のいずれの範囲も分離せずに、低音コンバータ２０２を通過させてもよく、こうして、オーディオコンテンツの分離または追加された周波数範囲を含有しない低音コンバータ２０２によって提供される分散オーディオチャネルにオーディオコンテンツが生じる。
【００２９】
そのうちの少なくともいくつかが、経路指定されていないオーディオコンテンツのより高い周波数範囲および経路指定されたオーディオコンテンツの低音周波数範囲の両方を含有するオーディオチャネルは、スペクトル管理システム１３０内に含まれる分散チャネルオーディオコンテンツルータ２０４によって選択的に処理されてもよい。特に、オーディオコンテンツの選択的な処理が、低音ルータ２１０によって実行されてもよい。この時点において、ＬＦＥチャネルは除去されている（それがオーディオ信号内に存在する場合）ので、低音ルータ２１０は、分散オーディオチャネルのみを受信する。しかしながら、分散オーディオチャネルは、オーディオ信号内のオーディオコンテンツの損失または利得なく、スペクトル管理システム１３０によって受信された入力オーディオ信号内に含有されるオーディオコンテンツの全体を含む。
【００３０】
低音ルータ２１０は、それぞれのチャネルによって駆動されるＡＥＳ１０２内のそれぞれのラウドスピーカの動作特性等の、ＡＥＳ１０２の所定の設定または動作上の変更可能なパラメータに基づいて、オーディオ信号のオーディオチャネルのそれぞれを処理してもよい。言い換えると、低音ルータ２１０は、以前に記載されたように、それぞれのラウドスピーカの低周波数出力能力、それぞれのラウドスピーカの低周波数歪み特性、それぞれのラウドスピーカの位置、またはいずれかの他の動作上関連するパラメータ、記憶されたパラメータ、および／または入力パラメータ等の動作特性を考慮することによって、オーディオチャネルのそれぞれにおけるオーディオコンテンツの低周波数部の経路指定を中心としている。
【００３１】
適合されたオーディオチャネルのそれぞれは、以前に記載されたように、所定の低音中心周波数を超える経路指定されていない空間オーディオコンテンツ、および、低音コンバータ２０２の所定の低音中心周波数より小さい経路指定された低音オーディオコンテンツの両方を含んでもよい。したがって、低音ルータ２１０による特定のオーディオチャネルのオーディオコンテンツから分離されている周波数範囲は、経路指定されていない空間オーディオコンテンツおよび経路指定された低音オーディオコンテンツの両方、または経路指定された低音オーディオコンテンツのみを含んでもよい。オーディオチャネルのうちのいくつかは、低音コンバータ２０２によって処理されなくてもよく、従って、経路指定されていない空間オーディオコンテンツおよび経路指定された低音オーディオコンテンツの両方全体を含んでもよい。オーディオコンテンツの低周波数範囲およびオーディオコンテンツのより高い周波数範囲への分離が、２次の高域および低域通過フィルタおよび所定の同調可能な中低音中心周波数を用いて実行されてもよい。中低音中心周波数は、例えば約４０Ｈｚ〜約４００Ｈｚの範囲にしてもよい。所定の同調可能な中低音中心周波数を用いて、特定のオーディオチャネル上のオーディオコンテンツの周波数範囲の異なる部分を、中低音オーディオコンテンツとして分離および経路指定してもよい。
【００３２】
中低音オーディオコンテンツ（それぞれのオーディオチャネル上のオーディオコンテンツの周波数範囲の再経路指定された部分）は、分散オーディオチャネルの間のオーディオコンテンツの周波数範囲の選択的な組み合わせまたは再組み合わせを可能にするように、オーディオコンテンツの残りとともに、位相整列の状態で維持されても（またはこれに戻る）よい。一例として、中央のチャネル上に存在するオーディオコンテンツの低周波数部は、中低音オーディオコンテンツとして分離されてもよく、かかる低周波数オーディオコンテンツを処理するために、中央のチャネルトランスデューサの周波数応答における制限のため、左前および右前チャネルへ経路指定されてもよい。かかる分離および経路指定を実行するために、中央のチャネル（中低音バスコンテンツ）上に存在するオーディオコンテンツの低周波数部は、左前、中央、および右前チャネルの相対位相が維持されるように、位相シフトフィルタを通過し、左前チャネルおよび右前チャネル内のオーディオコンテンツに追加されてもよい。他の例において、位相整列は、省略されてもよい。
【００３３】
中低音コンテンツとしてオーディオチャネル上のオーディオコンテンツが分離され、再配設されたオーディオコンテンツを有する適合されたオーディオチャネルを形成するように、低音ルータ２１０によって、経路指定および再び組み合わされた後で、処理されたオーディオ信号は、サブウーファールータ２０６へ受け渡されてもよい。この時点において、低音コンバータ２０２（入力オーディオ信号内に存在する場合）によって排除されるＬＦＥチャネルは排除されたままであるが、残りの適合された分散オーディオチャネルは、スペクトル管理システム１３０によって受信されたオーディオ信号内に含まれるオーディオコンテンツの全体を含む。加えて、オーディオコンテンツは、高周波数の経路指定されていない空間部、および低音コンバータ２０２によって作成された低周波数の経路指定された低音オーディオ部の両方を含むように処理されており、中低音オーディオコンテンツ（オーディオコンテンツの周波数範囲の低周波数部）は、低音ルータ２１０によって分散オーディオチャネルの間で再配設されている可能性がある。
【００３４】
サブウーファールータ２０６は、低音ルータ２１０から受信された分散オーディオチャネル内に含まれるオーディオコンテンツから、サブチャネルを生成するように動作する。サブチャネルは、サブウーファールータ２０６によって新たに作成され、サブオーディオコンテンツと称される低周波数オーディオコンテンツが選択的に投入される。分散オーディオチャネルを処理するためのサブウーファールータ２０６の動作は、以前に記載されたように、記憶されたパラメータ、受信されたパラメータまたはいずれかの他のパラメータ等の、ＡＥＳ１０２の所定の設定または動作上の変更可能なパラメータに基づいてもよい。
【００３５】
動作時において、サブウーファールータ２０６は、制限された低周波数能力でラウドスピーカを駆動させるように設計された分散オーディオチャネルのうちの１つ以上にオーディオコンテンツの低周波数部を選択的に分離し、サブオーディオコンテンツ（オーディオコンテンツの低周波数部）をサブウーファーチャネルへ経路指定することにより、サブウーファーチャネルを生成してもよい。オーディオコンテンツの低周波数部と高周波数部とへの分離は、２次の低域通過フィルタおよび高域通過フィルタによる選択されたオーディオチャネル上でのオーディオ信号のフィルタ処理に基づいてもよい。低周波数部の周波数範囲および高周波数部の周波数範囲は、所定の同調可能なサブウーファー中心周波数を用いて選択されてもよい。サブウーファー中心周波数は、例えば、約４０Ｈｚ〜約２００Ｈｚの範囲であってもよい。所定の同調可能なサブウーファー中心周波数を用いて、特定のオーディオチャネル上のオーディオコンテンツの周波数範囲の異なる部分が、サブオーディオコンテンツとして分離、および経路指定されてもよい。
【００３６】
所定の同調可能なサブウーファー中心周波数は、所定の同調可能な中低音中心周波数よりも低い周波数にあってもよい。したがって、低音ルータ２１０によって、他のオーディオチャネルへ再経路指定された中低音オーディオコンテンツの周波数範囲のいくつかまたはすべてが、再び、オーディオチャネルから選択的に分離されてもよく、また、所定の同調可能なサブウーファー中心周波数に基づいて再経路指定されてもよい。さらに、分散オーディオチャネルのそれぞれは、所定の低音中心周波数を超える経路指定されていない空間オーディオコンテンツ、および低音コンバータ２０２の所定の低音中心周波数より小さい経路指定された低音オーディオコンテンツの両方を含んでもよい。したがって、サブウーファールータ２０６によってオーディオチャネルのオーディオコンテンツから分離された周波数範囲は、経路指定されていない空間オーディオコンテンツおよび経路指定された低音オーディオコンテンツの両方、または所定の同調可能なサブウーファー中心周波数および所定の同調可能な低音中心周波数に従って経路指定された低音オーディオコンテンツのみを含んでもよい。
【００３７】
例えば、動作時において、サブウーファールータ２０６は、低音ルータ２１０からオーディオ信号を受信してもよく、左前チャネル（サブウーファーオーディオコンテンツ）上のオーディオコンテンツの低周波数部が、サブウーファーチャネルに経路指定されるように、高域および低域通過フィルタを通って左前チャネル上のオーディオコンテンツを経路指定してもよい。同様に、左サイドオーディオチャネル上のオーディオコンテンツは、左サイドオーディオチャネル上のサブウーファーコンテンツが、サブウーファーチャネルに経路指定されてもよいように、高域通過フィルタおよび低域通過フィルタを通って経路指定されてもよい。オーディオチャネルから選択的に分離されたサブウーファーオーディオコンテンツ周波数範囲は、サブチャネルを形成するように、サブウーファールータ２０６によって経路指定および組み合わされてもよい。サブチャネルは、Ｒ、Ｌ、Ｃ、ＲＳ、ＬＳ、ＲＲ、ＬＲチャネル等の残りのオーディオチャネルとともに、分散チャネルオーディオコンテンツルータ２０４、特に、高音ルータ２０８によって選択的に処理されてもよい。
【００３８】
高音ルータ２０８は、オーディオ信号を受信し、分散オーディオチャネルのうちの少なくともいくつかの上に存在する高音オーディオコンテンツと称されるオーディオコンテンツの所定の高周波数範囲の分離、経路指定および再組み合わせを実行する。高音ルータ２０８は、それぞれのチャネルによって駆動される、ＡＥＳ１０２内のそれぞれのラウドスピーカの動作特性に基づいて、オーディオ信号の分散オーディオチャネルを処理してもよい。言い換えると、高音ルータ２０８は、以前に記載されたように、より高い周波数におけるそれぞれのラウドスピーカの周波数応答、ラウドスピーカの位置、ラウドスピーカの指向性、ラウドスピーカの歪み特性、ラウドスピーカ内の高周波数共鳴またはいずれかの他の動作上関連するパラメータ、記憶されたパラメータ、および／または入力パラメータ等の動作特性を考慮することにより、高音オーディオコンテンツ（オーディオチャネルのうちの１つ以上におけるオーディオコンテンツの高周波数部）の経路指定に重点を置いている。
【００３９】
特定のオーディオチャネルにおける高音オーディオコンテンツ（オーディオコンテンツの高周波数部）の経路指定は、まず、所定の同調可能な高音中心周波数に基づいて、特定のオーディオチャネル上のオーディオコンテンツに、低周波数部および高周波数部にオーディオコンテンツを分割する高周波数および低周波数フィルタをかけることによって実行される。一例において、所定の同調可能な高音中心周波数は、約８ｋＨｚに設定されてもよい。他の例において、他の周波数が選択されてもよい。
【００４０】
所定の同調可能な高音中心周波数は、所定の同調可能な低音中心周波数、所定の同調可能な低音中心周波数および所定の同調可能なサブウーファー中心周波数よりも高い周波数であってもよい。したがって、低音ルータ２１０によって他のオーディオチャネルに再経路指定された中低音オーディオコンテンツの比較的より低い周波数範囲は、オーディオチャネルから選択的に分離されてもよく、所定の同調可能な高音中心周波数に基づいて再経路指定されてもよい。サブウーファーオーディオコンテンツは、分離およびサブチャネルに経路指定されていない場合、さらに、所定の同調可能な高音中心周波数の比較的高い周波数のために、分離および経路指定された高音オーディオコンテンツの一部分とはならない。さらに、分散オーディオチャネルのそれぞれは、所定の低音中心周波数を越える経路指定されていない空間オーディオコンテンツ、および低音コンバータ２０２の所定の低音中心周波数よりも小さい経路指定された低音オーディオコンテンツの両方を含んでもよい。高音ルータ２０６によってオーディオチャネルのオーディオコンテンツから分離されている高音オーディオコンテンツ周波数範囲は、経路指定されていない空間オーディオコンテンツ、または経路指定されていない空間オーディオコンテンツおよび経路指定された低音オーディオコンテンツの組み合わせを含んでもよいが、所定の同調可能な高音中心周波数および所定の同調可能な低音中心周波数に依存して、経路指定された低音オーディオコンテンツのみを含まなくてもよい。
【００４１】
他のオーディオチャネル上のオーディオコンテンツの高周波数および／または低周波数範囲から分離、経路指定および再び組み合わされたオーディオチャネル上の高音オーディオコンテンツは、約４ｋＨｚ〜約２０ｋＨｚの範囲等の人間の可聴範囲上限におけるものであってもよい。分離された周波数範囲の比較的高い周波数に起因して、分離された周波数範囲とのオーディオチャネル上のオーディオコンテンツとの結合によって、欠如した位相整列が完全にさせられ得る。人間の聴覚は、人間の可聴範囲の上限において位相のかかる比較的小さい差の組み合わせにより、オーディオコンテンツにおいて作成された任意の歪を一般的には検出できないため、位相整列は不要である。このため、オーディオチャネル上に存在するオーディオコンテンツおよび高音オーディオコンテンツの分離された周波数範囲が組み合わされる場合、分離された高音オーディオコンテンツ周波数範囲の位相整列およびオーディオチャネル上に存在するオーディオコンテンツは不要である。代替として、高音オーディオコンテンツの分離された周波数範囲は、組み合わされる前に、オーディオチャネル上に存在するオーディオコンテンツと位相整列されてもよい。
【００４２】
低音コンバータ２０２および低音ルータ２１０、高音ルータ２０８、ならびにサブウーファールータ２０６のうちの１つ以上による処理の後で、Ｒ、Ｌ、Ｃ、ＲＳ、ＬＳ、ＲＲ、ＬＲ、およびサブチャネル等の分散オーディオチャネルを含む、オーディオチャネルを含有する出力オーディオ信号は、それぞれのオーディオチャネル上のＡＥＳ１０２内のラウドスピーカを駆動するように、スペクトル管理システム１３０によって提供される。出力オーディオ信号内、および特に分散オーディオチャネルおよびサブチャネル上に存在するオーディオコンテンツは、同じ分散オーディオチャネルおよびＬＦＥチャネル（存在する場合）を含有した、オーディオ入力信号内に提供されるのと同じスペクトルエネルギーを含有する。しかしながら、種々のそれぞれの分散オーディオチャネルに含有されるオーディオコンテンツの周波数範囲は、スペクトル管理システム１３０によって実行された再経路指定および再組み合わせのため、異なってもよい。例えば、中央のチャネル上の入力オーディオ信号コンテンツ内に提供される周波数の最初の範囲コンテンツが、オーディオ出力信号内の左および右前チャネル上に存在してもよい。別の例において、入力オーディオ信号内の中央のチャネル、右のチャネル、および左のチャネル内に存在する低音オーディオコンテンツは、次に、出力オーディオ信号内のサブチャネル上に存在してもよい。
【００４３】
適合された分散オーディオチャネルおよび生成されたサブチャネルは、スペクトル管理システム１３０が動作させている特定のＡＥＳ１０２について調整されてもよい。言い換えると、入力オーディオ信号内で受信されたオーディオコンテンツの異なる周波数範囲は、ハードウェア、動作環境、またはＡＥＳ１０２のいずれかの他の実行に関連するパラメータの動作特性に従うように、分散オーディオチャネルとサブチャネルとの間で再配設されてもよい。
【００４４】
図３は、図１のスペクトル管理システム１３０の代替の例示的な図３００である。図３において、入力オーディオ信号は、低音コンバータ２０２および高音ルータ２０８の両方において受信される。経路指定された低音オーディオコンテンツを含むように、低音コンバータ２０２によって処理されるオーディオチャネル上に含まれるオーディオコンテンツは、次に、低音ルータ２１０およびサブウーファールータ２０６によって処理されてもよい。左前、右前、中心、右サイド、右サイド、左後ろ、および右後ろチャネル等のサブウーファールータ２０６から処理されたオーディオ信号内に含まれる分散オーディオチャネルのうちの第１のセットは、高音ルータ２０８によって処理されるそれぞれの分散オーディオ信号の第２のセットと組み合わされてもよい。分散オーディオ信号の第１のセットおよび分散オーディオ信号の第２のセットは、１つ以上の信号結合器３０２によって組み合わされてもよい。
【００４５】
この例において、スペクトル管理システム１３０による入力オーディオ信号および出力オーディオ信号の間のオーディオコンテンツの損失または追加を回避するために、利得段は、低音コンバータ２０２および高音ルータ２０８に、高周波数または入力オーディオ信号の上限内に含まれるスペクトルエネルギーの等しい量が提供されるように、入力オーディオ信号内のオーディオコンテンツのスペクトルエネルギーを半分に分割するように使用されてもよい。高音ルータ２０８によって処理されるオーディオチャネル内の高音オーディオコンテンツが人間の可聴範囲の上限である場合、オーディオチャネルの第１のセットおよびオーディオチャネルの第２のセット内に含まれるオーディオコンテンツの位相整列は不要である。代替として、オーディオチャネルの第１のセットおよびオーディオチャネルの第２のセット内のオーディオコンテンツは、信号結合器３０２とともに組み合わされる前に、位相整列されてもよい。再配設されたオーディオコンテンツを含有する適合された分散オーディオチャネルおよび生成されたサブチャネルを、それぞれのオーディオチャネル上でラウドスピーカを駆動するように、スペクトル管理システム１３０によって出力オーディオ信号として提供してもよい。
【００４６】
図４は、図１のスペクトル管理システム１３０の別の例示的な図４００である。図４において、スペクトル管理システム１３０は、ＲＦ、ＬＦ、Ｃ、ＲＳ、ＬＳ、ＲＲ、ＬＲおよびＬＦＥチャネル等の分散オーディオチャネルを含んでもよいオーディオチャネルを有する入力オーディオ信号を受信してもよい。入力オーディオ信号は、分散オーディオチャネル上の経路指定されていない空間範囲および経路指定されたオーディオ低音コンテンツを作成およびＬＦＥチャネル（存在する場合）を排除するように、低音コンバータ２０２によって処理されてもよい。次いで、低音ルータ２１０は、オーディオ信号内に含まれる分散オーディオチャネルを受信および処理する。分散オーディオチャネルを含有する結果的に生成されるオーディオ信号は、次いで、並列処理のために、サブウーファールータ２０６および高音ルータ２０８の両方に受け渡される。
【００４７】
サブウーファールータ２０６から提供された結果的に生成されるオーディオ信号は、ＲＦ、ＬＦ、Ｃ、ＲＳ、ＬＳ、ＲＲ、ＬＲ等の分散オーディオチャネルだけでなく、サブウーファールータ２０６によって生成されたサブチャネルも含む。高音ルータ２０８から提供された結果的に生成されるオーディオ信号は、高音ルータ２０８によって周波数範囲の上限について処理された分散オーディオチャネルのみを含む。サブウーファールータ２０６によって処理される分散チャネルおよび高音ルータ２０８によって処理される分散チャネルは、１つ以上の信号結合器４０２によって組み合わされる。オーディオコンテンツ（存在する場合）の位相部分外がオーディオ信号の周波数スペクトルの上限であるため、高音ルータ２０８によって結合器４０２へと提供される分散チャネルが、結合器４０２へとサブウーファールータ２０６によって提供される分散オーディオ信号と、完全に同調しているわけではない場合でも、オーディオコンテンツ内に顕著なアーチファクトを生じさせずに、分散チャネルを組み合わせ得る。代替として、高音ルータ２０８および／またはサブウーファールータ２０６から提供される分散チャネルは、位相をそろえて組み合わされるように、位相調整されてもよい。ＲＦ、ＬＦ、Ｃ、ＲＳ、ＬＳ、ＲＲ、ＬＲ等の適合された分散オーディオ信号、および生成されたサブチャネルを含む、結合器４０２から提供された出力オーディオ信号は、異なるそれぞれのラウドスピーカに分散されてもよい。
【００４８】
図５は、図１のスペクトル管理システム１３０のさらに別の例示的な図５００である。図５において、スペクトル管理システム１３０は、低音コンバータ２０２によって処理される、ＬＦＥ（存在する場合）とともに、ＲＦ、ＬＦ、Ｃ、ＲＳ、ＬＳ、ＲＲ、ＬＲ等の分散オーディオチャネルを有するオーディオ信号を受信する。低音ルータ２１０および高音ルータ２０８の両方は、次いで、並列のオーディオ信号内に含まれる分散オーディオチャネルを受信および処理する。ＲＦ、ＬＦ、Ｃ、ＲＳ、ＬＳ、ＲＲ、ＬＲ等の結果的に生成される適合された分散オーディオチャネルは、１つ以上の信号結合器５０２によって組み合わされる。
【００４９】
オーディオコンテンツの位相部分以外（存在する場合）は、オーディオ信号の周波数スペクトルの上限であるので、高音ルータ２０８によって結合器５０２へ提供される分散チャネルが、低音ルータ２１０によって提供される分散オーディオ信号と必ずしも同調していない場合でも、オーディオコンテンツ内に顕著なアーチファクトを生じさせずに、適合された分散オーディオチャネルを組み合わせられ得る。代替として、高音ルータ２０８および／または低音ルータ２１０から提供された適合された分散チャネル上のオーディオコンテンツは、位相をそろえて組み合わされるように、選択的に位相調整されてもよい。結果として生成されるオーディオ信号は、次いで、分散オーディオチャネルのうちの少なくともいくつかの低周波数範囲を経路指定し、その上に低周波数オーディオコンテンツによってサブチャネルを生成するように、サブウーファールータ２０６によって処理される。適合された分散オーディオチャネルおよびサブチャネルを含むオーディオチャネルは、オーディオ出力信号として、異なるラウドスピーカに分散されてもよい。
【００５０】
図６は、図１のスペクトル管理システム１３０のさらに別の代替の例示的な図６００である。図６において、スペクトル管理システム１３０は、入力オーディオ信号を受信し、低音コンバータ２０２によってオーディオチャネルを処理する。次いで、低音ルータ２１０および高音ルータ２０８の両方が、分散オーディオチャネルを受信し、さらに処理してもよい。低音ルータ２１０によって低周波数処理が行われる分散オーディオチャネルは、次いで、サブチャネルが生成およびオーディオチャネルに追加されるサブウーファールータ２０６へ受け渡されてもよい。サブチャネルを除く、サブウーファールータ２０６から提供された分散オーディオチャネルは、高音ルータ２０８によって高周波数処理が行われる分散オーディオチャネルと、１つ以上の信号結合器６０２によって組み合わされてもよい。組み合わされた適合された分散オーディオチャネルおよびサブチャネルを含む結果的に生成される出力オーディオ信号は、異なるそれぞれのラウドスピーカに分散されてもよい。
【００５１】
例として図２〜６によって示されるように、低音コンバータ２０２、低音ルータ２１０、サブウーファールータ２０６および高音ルータ２０８の多くの考えられる構成が存在する。挙げられた例はスペクトル管理システム１３０内のすべての考えられる構成ではなく、低音コンバータ、分散チャネルオーディオコンテンツルータおよびサブウーファールータがスペクトル管理システム１３０内でどのように構成され得るかのいくつかの例を提供するにすぎない。
【００５２】
図７は、図２の低音コンバータ２０２の例のブロック図である。低音コンバータ２０２によって受信されたオーディオ信号は、高域通過フィルタバンクとして形成されるフィルタバンク７０２へ受け渡される中心、左前、右前、右サイド、右サイド、左後ろ、および右後ろの分散オーディオチャネル等の分散オーディオチャネルを含んでもよい。高域通過フィルタバンク７０２は、低音コンバータ１０２によって他のオーディオチャネルに経路指定されていないそれぞれのオーディオチャネルのうちの少なくともいくつかの上における残りの高周波数空間コンテンツ内に結果的に生成される分散チャネルのそれぞれ上のオーディオコンテンツの低周波数部を除去する。低周波数効果（ＬＦＥ）チャネルは、オーディオチャネルのうちの１つとして提供される場合、全域通過フィルタを含有する利得段およびフィルタバンク７０４へ受け渡されてもよい。利得段およびフィルタバンク７０４は、ＬＦＥチャネルの利得を増減し（ｓｃａｌｅ）、分散チャネルによって位相整列されたＬＦＥチャネルを維持し、各半分の分かれた経路指定のために、ＬＦＥチャネル内のオーディオコンテンツを半分に分割してもよい。
【００５３】
さらに、左前、左後ろ、および右サイドのオーディオチャネル等の左の分散オーディオチャネル、および中央のオーディオチャネル上のオーディオコンテンツの半分を、さらに、低域通過フィルタバンクとして形成されるフィルタバンク７０６に受け渡してもよい。同様に、右前、右後ろ、および右サイド等の右のオーディオチャネル、および中央のオーディオチャネル上のオーディオコンテンツの他の半分を組み合わせ、さらに、低域通過フィルタバンク７０６に受け渡してもよい。低域通過フィルタバンク７０６は、低音オーディオコンテンツの部分に結果的に生成される分散チャネルのそれぞれ上のオーディオコンテンツの高周波数部を除去してもよい。フィルタバンク７０２、７０４および７０６は、オーディオチャネルを、位相整列された異なる周波数帯または範囲に分離してもよい。これらのフィルタバンクを通過するすべての信号は、同じ位相修正を受けてもよい。本明細書で用いられるように、「フィルタバンク」という用語は、ソフトウェア、ハードウェア、および／またはハードウェアおよびソフトウェアのいくつかの組み合わせを含んでもよい。ソフトウェアは、メモリデバイス内に記憶された命令の形態にしてもよい。ハードウェアは、回路、電子コンポーネント、回路基板等を含んでもよい。
【００５４】
高域通過フィルタバンク７０２および低域通過フィルタバンク７０６の出力は、第１の利得段モジュール７０８に受け渡されてもよい。第１の利得段モジュール７０８は、オーディオ信号内の同じ全体エネルギーを維持するようにオーディオチャネルを同期して減衰させることによって、オーディオチャネル上のオーディオコンテンツの周波数範囲の選択的な減衰を可能にする。オーディオチャネルの同期された選択的な減衰は、オーディオ信号のエネルギー上での全体的な効果がゼロのままであるように、１つ以上の他のオーディオチャネル内のエネルギーを同時に増加させながら、１つ以上のオーディオチャネル内のエネルギーを減少させることによって、元のオーディオ信号内に含まれるオーディオコンテンツが失われないようにする。
【００５５】
例えば、右前、中央のおよび左前オーディオチャネルのための第１の利得段モジュール７０２内の右前利得段、中央の利得段および左前利得段として、−１０ｄＢ等の一定の量だけ同期して減衰させられてもよく、利得段モジュール７０２内の左サイド利得段、右サイド利得段、左後ろ利得段および右後ろ利得段は、全体のオーディオコンテンツ内で同じエネルギーを維持するように、対応して＋１０ｄＢだけ増加させられてもよい。この例は、オーディオコンテンツが前ラウドスピーカから後ろラウドスピーカへ移動する「フェード」制御動作と同様であると考えられてもよい。したがって、実質的に等しく、正反対の減衰が、オーディオ信号からオーディオコンテンツの損失を回避するために、第１の利得段モジュール７０２によって実行されてもよい。第１の利得段モジュール７０２内の利得段が、他の利得段内の変化に対して反応的である構成は、１対１、１対多数、または多数対多数であってもよい。他の例において、利得段モジュール７０２は、省略されてもよい。
【００５６】
利得および全域通過フィルタバンク７０４（ＬＦＥチャネルが存在する場合）の出力および低域通過フィルタバンク７０６および利得段モジュール７０２からの出力は、モノラル／ステレオバランスモジュール７１０において受信される。モノラル／ステレオバランスモジュール７１０は、右の混合低音オーディオ信号を形成するように、ＬＦＥ信号の半分および右のオーディオチャネルの低周波数範囲を組み合わせるかまたは混合してもよく、左の混合低音オーディオ信号を形成するように、ＬＦＥ信号の他の半分を、左のオーディオチャネルの低周波数部を組み合わせるまたは混合してもよい。分散オーディオチャネルおよびＬＦＥチャネルのすべては、混合された右の低音オーディオ信号および混合された左の低音オーディオ信号の生成を可能にするように、相対的な位相整列状態を維持されてもよい。代替として、オーディオチャネルは、混合の前に位相整列されてもよい。「モジュール」という用語は、ソフトウェア、ハードウェア、および／またはハードウェアおよびソフトウェアのいくつかの組み合わせを含んでもよい。ソフトウェアは、メモリデバイス内の記憶された命令の形態にしてもよく、プロセッサによって実行されてもよい。ハードウェアは、回路、電子コンポーネント、ゲート、回路基板等を含んでもよい。
【００５７】
モノラル／ステレオバランスモジュール７１０による、混合された右の低音オーディオ信号および混合された左の低音オーディオ信号出力は、さらに第２の利得段モジュール７１２によって処理されてもよい。第２の利得段モジュール７１２は、分散オーディオチャネルのすべての組み合わせのために、一致して全利得を維持しながら、分散オーディオチャネルのうちの少なくともいくつかの低周波数部のオーディオチャネル対オーディオチャネルバランスの比例する利得を適用してもよい。分散オーディオチャネルのうちの低周波数部へ比例的利得を適用することにより、混合された左および右の低音オーディオ信号の５０％を右サイド分散オーディオチャネルへ移動させ、混合された左および右の低音オーディオ信号の５０％を右サイド分散オーディオチャネルへ移動させることで、純粋にモノラル経路指定された低音オーディオ信号を提供してもよい。代替として、純粋にステレオ経路指定された低音オーディオ信号は、混合された左の低音オーディオ信号の１００％を右サイドの分散オーディオチャネルに、混合された右の低音オーディオ信号の１００％を右サイドの分散オーディオチャネルに提供することにより、空間的広がり（ｓｐａｔｉａｌｉｔｙ）を最大にするように形成されてもよい。
【００５８】
経路指定された低音オーディオ信号のパーセンテージの調整は、分散オーディオチャネルのうちの各１つに供給された左および右の混合低音オーディオ信号を減衰および増幅させることによって実行されてもよい。このように、オーディオチャネルのそれぞれは、適用された利得に従う左および右の混合低音オーディオ信号の割合を受ける。したがって、モノラル経路指定された低音オーディオ信号の場合、いずれかの所与のチャネル上において、混合される左および右の低音オーディオ信号は、同じ量の利得によって、等しく減衰されてもよい。ステレオ経路指定された低音オーディオ信号の場合、特定のチャネルに従って、混合された左および右の低音オーディオ信号のうちの１つを、負の（ｎｅｇａｔｉｖｅ）無限大の利得によって０％に減衰してもよく、一方で、他方の信号を、０ｄＢの利得によって１００％へ増幅してもよい。
【００５９】
別の代替例において、右サイドの低音オーディオ信号の３０％が右サイドの分散オーディオチャネルへ移動し、左サイドの低音オーディオ信号の７０％が左サイド分散オーディオチャネルへ移動し、３０％モノラル等の、モノラル信号のいくつかのパーセンテージを選択してもよい。同様に、各サイドにおいて１００％を維持するために、右サイド低音オーディオ信号の７０％が右サイド分散オーディオチャネルへ移動し、左サイド低音オーディオ信号の３０％が左サイド分散オーディオチャネルへ移動する。分散オーディオチャネルのすべてを、モノラル、部分的にモノラルまたは純粋にステレオであってもよい経路指定された低音オーディオ信号を取得するように、７つの出力チャネルで−１６．９ｄＢの利得、または５つの出力チャネルで−１３．９８ｄＢの利得等、出力チャネルの数に応じ得る利得により、等しく減衰してもよい。全利得を、オーディオコンテンツ内に含有されるエネルギーが変化しない、つまり、何も失われたり追加されたりしないように、一致して維持してもよい。
【００６０】
第２の利得段モジュール７１２からの出力は、加算器モジュール７１４を用いて、高域通過フィルタバンク７０２から出力された経路指定されていない空間コンテンツと組み合わせまたは合計されてもよい、経路指定された低音オーディオコンテンツを形成する。特定のオーディオチャネル上の経路指定されていない空間オーディオコンテンツの高周波数範囲は、特定のオーディオチャネルに従って、混合された右の低音オーディオ信号または混合された左の低音オーディオ信号のうちの１つと組み合わされてもよい。言い換えると、右の分散オーディオチャネル（ＲＦ、ＲＳ、ＲＲ）であるこれらのチャネルは、混合された右の低音オーディオ信号と組み合わされた経路指定されていない空間オーディオコンテンツの高周波数範囲を有してもよく、左の分散オーディオチャネル（ＬＦ、ＬＳ、ＬＲ）であるこれらのチャネルは、混合された左の低音オーディオ信号と組み合わされた経路指定されていない空間オーディオコンテンツの高周波数範囲を有してもよい。結果的に生成される適合された分散オーディオチャネルは、低音コンバータ２０２に出力されてもよい。
【００６１】
図８は、図２および図７の低音コンバータ２０２の例示的なより詳細なブロック図である。図８において、オーディオ入力信号内で受信されたオーディオチャネルは、低音コンバータ２０２の入力セクション８０２内に含まれる。オーディオチャネルは、分散オーディオチャネル（Ｃ、ＬＦ、ＲＦ、ＬＳ、ＲＳ、ＬＲ、ＲＲ）およびＬＦＥチャネルを含む。分散オーディオチャネルは、低音コンバータ２０２内に含まれる分離セクション８０４に提供される。分離セクション８０２は、低周波数範囲および高周波数範囲へ各それぞれのオーディオチャネル上のオーディオコンテンツを分散させるために、高域通過フィルタバンク７０２および低域通過フィルタバンク７０６の両方を含む。ともに、低周波数範囲および高周波数範囲は、周波数の全体範囲およびそれぞれのオーディオチャネル上のオーディオコンテンツのエネルギーを表す。一例において、約８０Ｈｚ等の所定の同調可能な低音中心周波数で動作する２次Ｌｉｎｋｗｉｔｚ−Ｒｉｌｅｙフィルタによって、低域および高域通過フィルタ処理を実行してもよい。他の例において、同様の結果を得るために、有限インパルス応答（ＦＩＲ）フィルタ等の他の２次フィルタ、より高い次数のフィルタまたはフィルタあるいは信号処理の他の種類または組み合わせを使用してもよい。さらに、約５０Ｈｚ〜約３００Ｈｚの範囲のいずれか等の、他の所定の同調可能な中心周波数を使用してもよい。
【００６２】
分離セクション８０４において、ＬＦＥチャネルは、分散オーディオチャネルによって位相を維持するために、利得段および全域通過フィルタバンク７０４内に含まれる全域通過フィルタ（ＡＰ０）８０６が行われる。低音コンバータ２０２の減衰セクション８０８において、利得段および全域通過フィルタバンク７０４内に含まれる利得段８１０は、ＬＦＥ信号の第１の半分およびＬＦＥ信号の第２の半分が形成されるように、ＬＦＥチャネルを半分に分割することが含まれる。ＬＦＥ信号の各半分は、オーディオコンテンツのエネルギーの半分であるが、ＬＦＥチャネル上に存在するオーディオコンテンツの周波数全範囲を含む。中央のチャネルは、さらに、中央のチャネルのオーディオコンテンツの周波数の全範囲を有する中央のチャネルの第１および第２の半分を形成するように、同様に、中央のチャネル上のオーディオコンテンツのエネルギーを半分に分割する減衰段８１２を含む。
【００６３】
分散オーディオチャネル（ＬＦ、ＲＦ、ＬＳ、ＲＳ、ＬＲ、ＲＲチャネル等）の残りは、それぞれ、第１の利得段モジュール７０８内で動作可能なそれぞれの利得段８１２を有する。それぞれの利得段は、以前に記載されたように、同期的に動作してもよい。一例において、利得段は、異なる利得段群分割に戦略的に群分割してもよい。図８において、中央の利得段８１４は、前および中央のチャネルについて前の利得制御群８２０を形成するように、右前の利得段８１６および左前の利得段８１８によって群分割される。さらに、左サイドの利得段８２４は、サイドチャネルのサイド利得制御群８２８を形成するように、右サイドの利得段８２６によって群分割される。さらに、左後ろの利得段８３２は、後ろチャネルの後ろ利得制御群８３６を形成するように、右後ろの利得段８３４によって群分割される。他の例において、他の群分割が可能である。
【００６４】
動作時において、利得制御群のそれぞれの群の利得制御は、群内のオーディオチャネルを減衰するように調整され、他の群のうちの１つ以上のオーディオチャネルの利得段は、それに対応して増加してもよい。例えば、前の利得制御群８２０内の利得段の利得値（Ｆ）が利得制御値（ＣＦ）によって制御され、サイドの利得制御群８２８の利得段内の利得値（Ｂ）が利得制御値（ＣＳ）によって制御され、後ろの利得制御群８３６内の利得値（Ｂ）が利得制御値（ＣＢ）によって制御される場合、線形の利得値に関して表される利得値は、以下の式に基づいて、協調的に変化してもよい。
【００６５】
【数１】
2015167413.tif 000003
ここで、ｌｉｎ（ｘ）＝１０ｘ／２０である。
【００６６】
図８において、左および右の加算セクション８４０は、モノラル／ステレオバランスモジュール７１０の一部分である左の加算器８４２および右の加算器８４４を含む。左の加算器８４２は、ＬＦＥチャネルオーディオコンテンツの第１の半分、中央のチャネルオーディオコンテンツの第１の半分の低周波数部および左サイドのオーディオチャネル（ＬＦ、ＬＳ、ＬＲ）のオーディオコンテンツの低周波数部を受信してもよい。右サイド加算器８４４は、ＬＦＥチャネルオーディオコンテンツの第２の半分、中央のチャネルオーディオコンテンツの半分の低周波数部および右サイドオーディオチャネル（ＲＦ、ＲＳ、ＲＲ）のオーディオコンテンツの低周波数部を受信してもよい。左の加算器８４２は、左サイドの混合オーディオ信号を生成してもよく、右の加算器８４４は、そのそれぞれが経路指定された低音オーディオコンテンツである、右サイドの混合オーディオ信号を生成してもよい。
【００６７】
低音コンバータ２０２の左および右の低音セクション８４８は、第２の利得段モジュール７１２内に含まれてもよい。左右の低音セクション８４８内の複数の利得段は、オーディオチャネル上で利用可能にされた左および右サイドの混合オーディオ信号の量が調整可能になるように、左から左、右から右の利得段（ＬＬ）８５２および左から右、右から左の利得段（ＬＲ）８５４に群分割されてもよい。例えば、利得段がＬＬ利得値またはＬＲ利得値のいずれかである場合、以下は、利得値ＬＬおよびＬＲを制御するように使用されてもよい（Ｍ％は、モノラル経路指定された低音オーディオ信号の所望のパーセンテージである）。
【００６８】
【数２】
2015167413.tif 000004
右サイドの混合オーディオ信号および左サイドの混合オーディオ信号の関係の結果として、左および右サイドの混合オーディオ信号のそれぞれの０と１００％との間の任意の所定のパーセンテージを、経路指定された低音オーディオコンテンツとして分散オーディオ信号のそれぞれ上に提供してもよい。式４および５によって、右サイド分散オーディオチャネルに適用されている右サイドの混合オーディオ信号のパーセンテージは、左サイド分散オーディオチャネルに供給されていない右サイドの混合オーディオ信号のそのパーセンテージになる。さらに、経路指定された低音オーディオコンテンツとして右および左のサイドオーディオチャネルの両方に供給されている左および右サイドの混合オーディオ信号のパーセンテージの組み合わせは、それぞれ、１００％であってもよい。
【００６９】
低音コンバータ２０２の出力加算セクション８５８は、加算器モジュール７１４内に含まれてもよい。出力加算セクション８５８は、複数の加算器８６０を含んでもよい。加算器８６０の各々は、対応する分散制御チャネルを表してもよい。したがって、加算器８６０の各々は、それぞれのチャネル（経路指定されていない空間オーディオコンテンツ）上のオーディオコンテンツの高周波数部、右サイドの混合オーディオ信号（基本オーディオコンテンツ）のパーセンテージ、および右サイドの混合オーディオ信号（基本オーディオコンテンツ）のパーセンテージを受信する。右サイドの混合オーディオ信号および左サイドの混合オーディオ信号のそれぞれのパーセンテージは、第２の利得段モジュール７１２内の利得値に依存する。加算器８６２の出力は、低音コンバータ２０２の出力セクション８６２内の適合された分散制御チャネルであってもよい。ＬＦＥチャネルは、適合された分散オーディオチャネルのうちの１つ以上の間に分散されるＬＦＥチャネルのオーディオコンテンツを経路指定することにより、（存在する場合）排除されている。
【００７０】
図９は、分散チャネルオーディオコンテンツルータ２０４の一部分として含まれる図２の低音ルータ２１０の例示的なブロック図９００である。ＬＦ、ＲＦ、Ｃ、ＬＳ、ＲＳ、ＬＲ、ＲＲチャネル等の分散オーディオチャネルのみが、低音ルータ２１０によって受信される。分散オーディオチャネルのそれぞれは、高域、低域、および全域通過フィルタを含むフィルタバンク９０２によってフィルタが行われてもよい。高域、低域、全域通過フィルタバンク９０２は、オーディオルータモジュール９０４による処理の前に、分散オーディオチャネルのうちの一部上のオーディオコンテンツを選択的に、高周波数範囲および低周波数範囲に分割、または、オーディオチャネルのそれぞれのチャネル上にオーディオコンテンツを位相調整してもよい。
【００７１】
一例において、低域および高域通過フィルタ処理を、約４００Ｈｚ等の所定の同調可能な中低音中心周波数で動作する２次Ｌｉｎｋｗｉｔｚ−Ｒｉｌｅｙフィルタによって実行してもよい。他の例において、有限インパルス応答（ＦＩＲ）フィルタ等の他の２次フィルタ、より高い次数のフィルタ、またはフィルタあるいは信号処理の他の種類または組み合わせを、同様の結果を実現するために利用してもよい。さらに、約４０Ｈｚ〜約４００Ｈｚの範囲内のいずれか等の他の所定の同調可能な中心周波数を使用してもよい。
【００７２】
オーディオルータモジュール９０４は、ＡＥＳ１０２の所定の設定または動作上の変更可能なパラメータに基づいて、分散オーディオチャネルのうちの１つから、分散オーディオチャネルのうちの他の１つ以上へ、オーディオコンテンツ（中低音オーディオコンテンツ）の低周波数部を選択的に経路指定してもよい。このため、低音ルータ２１０は、例えば、オーディオチャネルのうちの１つ以上の低周波数部を再経路指定する必要があるかどうかを決定するために、システムに独自の構成情報、ラウドスピーカの動作パラメータ、および／または動作特性にアクセスしてもよい。代替として、または加えて、低音ルータ２１０は、ＡＥＳ１０２の設計者によって事前に構成されてもよい、または１つの分散オーディオチャネルから１つ以上の他の分散オーディオチャネルへ、オーディオコンテンツの少なくともいくつかの低周波数部を経路指定するように、ＡＥＳ１０２のユーザによって、動作時において構成されてもよい。
【００７３】
オーディオルータモジュール９０４からの分散オーディオチャネル出力の高周波数または低周波数部は、全域通過フィルタ９０６のフィルタバンクによって選択的にフィルタ処理されてもよい。一組の全域通過フィルタ９０６を含有するフィルタバンクを通るオーディオルータモジュール９０４からの分散オーディオチャネル出力の高周波数部または低周波数部を選択的に通過させる目的は、位相整列を選択的に実行することである。分散オーディオチャネルの結果的に生成される位相整列された高周波数部または低周波数部は、次に、分散オーディオチャネルを形成するように組み合わされてもよく、適合された分散オーディオチャネル（ＬＦ、ＲＦ、Ｃ、ＬＳ、ＲＳ、ＬＲ、ＲＲ）は、低音ルータ２１０から出力されてもよい。
【００７４】
図１０は、低音ルータ２１０の例示的なより詳細な構成である。図１０において、入力セクション１００２内において受信された中心、右サイド、右サイド、左後ろおよび右後ろの分散オーディオチャネルが、それぞれのオーディオチャネル上のオーディオコンテンツを低周波数部および高周波数部に分割または分離するように、低音ルータ２１０の分離セクション１００８内に高域通過（ＨＰ）フィルタ１００４および低域通過（ＬＰ）フィルタ１００６を有するフィルタバンク９０２の影響を受けてもよい。さらに、分離セクション１００８内において、左前および右前の分散オーディオチャネルが、もう一方のオーディオチャネル上で高域および低域通過フィルタ処理が行われるオーディオコンテンツによって、位相整列される左前および右前のオーディオチャネル上のオーディオコンテンツを維持するために、フィルタバンク９０２内に含まれる全域通過（ＡＰ）フィルタ１０１０の影響を受けてもよい。他の例において、高域、低域および全域通過フィルタ処理が行われる分散オーディオチャネルは、ＡＥＳ１０２によって異なってもよい。
【００７５】
低音ルータ２１０のルータモジュール９０４内に含まれる減衰セクション１０１２において、中央のチャネル（中低音オーディオコンテンツ）上に存在するオーディオコンテンツの低周波数部は、中低音オーディオコンテンツを半分に分割するように、利得段１０１４によって−６ｄＢ等の減衰が行われてもよい。低音コンバータ２０２による処理のため、中央のチャネルは、スペクトル管理システム１３０によって受信された場合に、中央のチャネル上に存在しているより高い周波数の経路指定されていない空間オーディオコンテンツとともに、経路指定された低音オーディオコンテンツを含んでもよい。ルータモジュール９０４内に含まれる第１の再経路指定セクション１０１８において、中央のチャネルからの各半減された低周波数の中低音オーディオコンテンツは、加算器１０２０によって左前チャネルおよび右前チャネル上に含まれるオーディオコンテンツと合計されてもよい。合計されているオーディオコンテンツは、低域通過フィルタ１００６によって位相シフトされている中央のチャネルの低周波数部のため、位相整列され、左前および右前のオーディオチャネルのオーディオコンテンツは、全域通過フィルタ１０１０によって同様に位相シフトされる。
【００７６】
第１の経路指定セクション１０１８内でも、左および右後ろのチャネル上のオーディオコンテンツ（中低音バスコンテンツ）の低周波数部は、後ろスイッチ１０２２によって、他のオーディオチャネルへ選択的に経路指定されてもよい。図１０において、左および右後ろのチャネル上の低周波数中低音オーディオコンテンツは、それぞれ、左および右サイドのチャネルへ選択的に経路指定されてもよい。後ろスイッチ１０２２は、それぞれ右のおよび左の後ろオーディオチャネル上の低周波数中低音オーディオコンテンツを維持するための第１の位置、およびそれぞれ左および右サイドのオーディオチャネルへ低周波数中低音オーディオコンテンツを再経路指定するための第２の位置の間を切り替えられてもよい。後ろスイッチ１０２２の位置は、ＡＥＳ１０２の所定の設定または動作上の変更可能なパラメータに基づいてもよい。他の例において、後ろスイッチ１０２２は、２つよりも多いスイッチ位置を含んでもよい、または左および右後ろのチャネルオーディオコンテンツの低周波数中低音バスコンテンツをいずれかの他の分散オーディオチャネルへ選択的に経路指定してもよい。
【００７７】
ルータモジュール９０４内に含まれる第２の経路指定セクション１０２６において、サイドスイッチ１０２８は、同様に、それぞれ、左および右前のチャネルへ左および右サイドのチャネル上のオーディオコンテンツ（中低音オーディオコンテンツ）の低周波数部を選択的に経路指定してもよい。サイドスイッチ１０２８の切り替えは、ユーザ設定および／またはラウドスピーカ動作能力等のＡＥＳ１０２の所定の設定または動作上の変更可能なパラメータに基づいてもよい。他の例において、サイドスイッチ１０２８は、２つよりも多いスイッチ位置を含んでもよい、またはいずれかの他の分散オーディオチャネルへ、左および右のオーディオコンテンツの低周波数中低音オーディオコンテンツを選択的に経路指定してもよい。低音ルータ２１０の全域通過フィルタバンク９０６内に含まれる位相整列セクションにおいて、中央のチャネルからのオーディオコンテンツ（中低音オーディオコンテンツ）の低周波数部と組み合わされた左または右前のオーディオコンテンツで構成される加算器１０２０からのオーディオコンテンツ出力、および左および右サイドのオーディオチャネルからのオーディオコンテンツ（中低音オーディオコンテンツ）の低周波数部は、全域通過フィルタ１０１０によって位相整列されてもよい。
【００７８】
低音ルータ２１０の加算セクション１０３０において、分散オーディオチャネルのうちの少なくともいくつかからのオーディオコンテンツ（中低音オーディオコンテンツ）の低周波数部は、加算器１０２０によって他のオーディオチャネル上のオーディオコンテンツと組み合わされてもよい。図１０において、左および右サイドのチャネルからの低周波数中低音バスコンテンツは、中央のチャネルからの中低音オーディオコンテンツと組み合わされた左または右前のチャネル上の残りのオーディオコンテンツと組み合わされてもよい。さらに、左および右後ろのチャネルからの低周波数中低音オーディオコンテンツは、それぞれ、左および右サイドのチャネル上の残りのオーディオコンテンツと組み合わされてもよい。
【００７９】
再経路指定されたオーディオコンテンツを含有する結果的に生成される適合された分散オーディオチャネルは、出力セクション１０３２において提供されてもよい。分散オーディオチャネル上のオーディオコンテンツの低周波数範囲は分離され、選択的に再経路指定され、他のオーディオチャネル上のオーディオコンテンツと再び組み合わされているが、オーディオ信号内に含まれるオーディオコンテンツの全体は変化しない。さらに、低音ルータ２１０によって受信された同じ数の分散オーディオチャネルは、適合された分散オーディオチャネルとして低音ルータによって出力される。このため、オーディオ信号のいずれの部分も除去されず、オーディオ信号へオーディオコンテンツは追加されない。
【００８０】
図１１は、他の分散チャネルオーディオコンテンツルータ２０４の一部分として含まれる高音ルータ２０８の例示的なブロック図１１００である。高音ルータ２０８は、分散オーディオチャネルを受信してもよく、第１のルータモジュール１１０２によってこれを処理する。第１のルータモジュール１１０２は、分散オーディオチャネルのうちのいずれかが、高音ルータ２０８内に含まれるフィルタバンク１１０４をバイパスしてもよいかどうかを決定してもよい。選択された分散オーディオチャネルによってフィルタバンク１１０４をバイパスするための決定は、周波数応答またはそれぞれのオーディオチャネルによって駆動されるラウドスピーカの配置等の、ＡＥＳ１０２の所定の設定または動作上の変更可能なパラメータに基づいてもよい。フィルタバンク１１０４は、所定の同調可能な高音中心周波数を用いて、高周波数部および低周波数部へ、特定のオーディオチャネル上のオーディオコンテンツを分離するように、高域および低域通過フィルタによって構成されてもよい。一例において、低域および高域通過フィルタ処理を、約４０００Ｈｚ等の所定の同調可能な高音中心周波数で動作する２次Ｌｉｎｋｗｉｔｚ−Ｒｉｌｅｙフィルタによって実行してもよい。他の例において、有限インパルス応答（ＦＩＲ）フィルタ等の、他の２次フィルタ、より高い次数のフィルタ、またはフィルタあるいは信号処理の他の種類または組み合わせを、同様の結果を実現するために、利用してもよい。加えて、約２０００Ｈｚ〜約８０００Ｈｚの範囲内のいずれか等の他の所定の同調可能な中心周波数を使用してもよい。
【００８１】
分散オーディオチャネルの高周波数部（高音オーディオコンテンツ）は、高音ルータ２０８内に含まれる第２のルータモジュール１１０６によって、他の１つ以上の分散オーディオチャネルに経路指定されてもよい。例えば、中央のチャネル上のオーディオコンテンツの高音オーディオコンテンツ部は、左および右前のオーディオチャネルに経路指定されてもよい。第２のルータモジュール１１０６からの出力は、分散オーディオチャネルの間で再経路指定または再分散された高音オーディオコンテンツの少なくともいくつかを、分散オーディオチャネルに提供してもよい。第２のルータモジュール１１０６からの出力は、適合された分散オーディオチャネルにしてもよい。オーディオ出力信号として、適合された分散オーディオチャネルが、スペクトル管理システム１３０によって提供されてもよい。
【００８２】
図１２は、図２および図１１の高音ルータ２０８の例示的な詳細な構成の図である。図１２において、分散オーディオチャネルは、高音ルータ２０８の入力セクション１２０２において受信されてもよい。第１の経路指定モジュール１１０２内に含まれる第１の経路指定セクション１２０４において、中央のチャネル、左前のチャネルおよび右前のチャネルは、中央のスイッチ１２０６によって選択的に経路指定されてもよい。中央のスイッチ１２０６の切り替えは、ＡＥＳ１０２の所定の設定または動作上の変更可能なパラメータに基づいてもよい。図１２において、中央のスイッチ１２０６の位置は、中央のオーディオチャネル上のオーディオコンテンツの高周波数部を、左前および右前のチャネルに経路指定すべきかどうかに基づいてもよい。このため、中央のスイッチが第１の位置（ａ）にある場合、中央のチャネル上のオーディオコンテンツは中央のチャネル上に残り、右および左のチャネルとの中央のチャネルからのオーディオコンテンツの組み合わせは存在しない。第２のスイッチ位置（ｂ）において、中央のチャネルは、高音ルータ２０８のフィルタバンク１１０４の分離セクション１２１２内において、高域通過フィルタ１２０８および低域通過フィルタ１２１０を通して経路指定される。さらに、左および右前のチャネルのオーディオコンテンツは、後で記載されるように、加算器に経路指定される。
【００８３】
高音ルータ１２１２の分離セクション１２１２内においても、左サイド、右サイド、左後ろ、および右後ろのオーディオチャネル上のオーディオコンテンツは、それぞれの高域通過フィルタ１２０８および低域通過フィルタ１２１０によって、低周波数部および高周波数部に分離されてもよい。低周波数部からの高周波数部の分離を、約４０００Ｈｚ等の所定の同調可能な高音中心周波数で動作する２次Ｌｉｎｋｗｉｔｚ−Ｒｉｌｅｙフィルタによって実行してもよい。他の例において、有限インパルス応答（ＦＩＲ）フィルタ等の、他の２次フィルタ、より高い次数のフィルタ、またはフィルタあるいは信号処理の他の種類または組み合わせを、同様の結果を実現するように、使用してもよい。さらに、約２０００Ｈｚ〜約８０００Ｈｚの範囲内のいずれか等、他の所定の同調可能な中心周波数を使用してもよい。
【００８４】
第２のルータモジュール１１０６内に含まれる第２の経路指定セクション１２１４において、サイドスイッチ１２１６および後ろスイッチ１２１８は、それぞれのサイドチャネルおよび後ろチャネルの高周波数部（高音オーディオコンテンツ）の経路指定を制御してもよい。サイドスイッチ１２１４および後ろスイッチ１２１６の切り替えは、ユーザ設定および／またはラウドスピーカ動作能力等のＡＥＳ１０２の所定の設定または動作上の変更可能なパラメータに基づいてもよい。他の例において、追加のスイッチ、追加のスイッチ位置、または両方の組み合わせを、分散オーディオチャネルのうちの１つ以上の高音オーディオコンテンツ部分の選択的な分離および経路指定を実行するように使用してもよい。
【００８５】
図１２において、サイドスイッチ１２１６は、第１の位置（ａ）に配置される場合に、左および右サイドのチャネル上に含まれるオーディオコンテンツの高音オーディオ部分を、それぞれ、左および右後ろのチャネルへ経路指定してもよい。第２の位置（ｂ）において、オーディオコンテンツの高周波数部は、サイドチャネル上に残ってもよい。このため、第１の位置（ａ）は、例えば、サイドチャネル上のオーディオコンテンツによって駆動されているラウドスピーカの周波数応答の範囲が、所定の同調可能な中央の高音周波数制御に基づいて、オーディオコンテンツの高周波数部を効率的に受け入れることができない場合に、使用されてもよい。後ろスイッチ１２１８は、それぞれ、左および右サイドのオーディオチャネルへ、左および右後ろのオーディオチャネル上に含まれる高音オーディオコンテンツを経路指定するように、第１の位置（ａ）に配置されてもよい。第２の位置（ｂ）において、後ろスイッチ１２１８は、左および右後ろのオーディオチャネル上のオーディオコンテンツの高周波数部を維持する。このため、第１の位置（ａ）は、例えば、後ろチャネル上のオーディオコンテンツによって駆動されているラウドスピーカの周波数応答範囲が、所定の同調可能な中央の高音周波数制御に基づくオーディオコンテンツの高周波数部を効率的に受け入れることができない場合に、使用されてもよい。
【００８６】
高音ルータ２０８の第２のルータモジュール１１０６内に含まれる加算器セクション１２２２において、分散オーディオチャネル上に存在するオーディオコンテンツと、分離された高音オーディオコンテンツを組み合わせるように、複数の加算器１２２４が、含まれてもよい。例えば、半分にされた中央のチャネルから分離された高音オーディオコンテンツは、左前のチャネルおよび右前のチャネルの両方の上に存在するオーディオコンテンツと組み合わされてもよい。別の例において、右サイドのチャネルおよび右サイドのチャネルから分離された高音オーディオコンテンツは、それぞれ、左後ろのチャネルおよび右後ろのチャネル上に存在するオーディオコンテンツと組み合わされてもよい。代替として、または加えて、加算器１２２４は、サイドおよび後ろのスイッチが第２の位置（ｂ）である場合等、同じオーディオチャネルからのオーディオコンテンツの高周波数部およびオーディオコンテンツの低周波数部を再び組み合わせてもよい。分離された高音オーディオ信号の周波数の範囲のため、人間の聴覚能力における制限のために位相の不整列が存在する場合でも、オーディオチャネル上に存在するオーディオコンテンツとの組み合わせ以前の位相整列は省略されてもよい。代替として、位相整列は、組み合わせの前に実施してもよい。加算器セクションの出力１２２２は、高音ルータ２０８の出力セクション１２２６内の適合された分散オーディオ出力チャネルとして提供されてもよい。他の例において、１つ以上のオーディオチャネルの高周波数部のいずれか他の種類の再経路指定を、所定の同調可能な中心周波数に基づいて、高音ルータ２０８によって実行してもよい。
【００８７】
図１３は、図２のサブウーファールータ２０６のブロック図１３００である。分散オーディオチャネルは、サブウーファールータ２０６によって受信され、第１の経路指定モジュール１３０２によって処理されてもよい。オーディオチャネルは、高域通過フィルタおよび低域通過フィルタのフィルタバンク１３０４へ、第１の経路指定モジュールによって経路指定されてもよい、または、高域通過フィルタおよび低域通過フィルタのフィルタバンク１３０４をバイパスするように経路指定されてもよい。高域通過フィルタおよび低域通過フィルタのフィルタバンク１３０４は、分散オーディオチャネル上のオーディオコンテンツの低周波数部の分離および経路指定が必要ではない場合に、バイパスされてもよい。第１の経路指定モジュール１３０２によって高域通過フィルタおよび低域通過フィルタのフィルタバンク１３０４に受け渡されるこれらのオーディオチャネルのオーディオコンテンツは、低周波数部および高周波数部に分離されてもよい。フィルタバンク１３０４からのオーディオチャネルの高周波数部および低周波数部（サブオーディオコンテンツ）は、次いで、第２の経路指定モジュール１３０６に受け渡される。第２の経路指定モジュール１３０６内において、分散オーディオチャネルのうちの少なくともいくつかのサブオーディオコンテンツは、サブチャネルを生成するように使用されてもよい。さらに、適合された分散オーディオチャネルが形成されてもよい。適合された分散オーディオチャネルおよびサブチャネルは、次いで、ＡＥＳ１０２内のそれぞれのラウドスピーカを駆動するように使用されてもよい。
【００８８】
図１４は、図２および図１３のサブウーファールータ２０６の例示的な詳細な構成の図である。図１４において、分散オーディオチャネルは、サブウーファールータ２０６の入力セクション１４０２で受信されてもよい。第１のルータモジュール１３０２内に含まれる第１の経路指定セクション１４０４は、それぞれ、左および右サイドのチャネルおよび左および右後ろのチャネル上のオーディオコンテンツを選択的に経路指定するためのサイドバイパススイッチ１４０６および後ろバイパススイッチ１４０８を含んでもよい。サイドバイパススイッチ１４０６および後ろバイパススイッチ１４０８の切り替えは、ユーザ設定および／またはラウドスピーカ動作能力等の、ＡＥＳ１０２の所定の設定または動作上の変更可能なパラメータに基づいてもよい。他の例において、追加のスイッチ、追加のスイッチ位置、または両方の組み合わせは、いずれかの数の分散オーディオチャネルの選択的なバイパス経路指定を実行するように用いられてもよい。
【００８９】
図１４において、サイドバイパススイッチ１４０６の位置は、左および右サイドのオーディオチャネル上のオーディオコンテンツの低周波数部が、左および右サイドのオーディオチャネルに関連付けられたラウドスピーカを駆動するように使用できるかどうかに基づいてもよい。このため、サイドバイパススイッチ１４０６が第１の位置（ａ）にある場合、左および右サイドのチャネル上のオーディオコンテンツの全体は、左および右サイドのチャネル上に残る。第２のスイッチ位置（ｂ）において、左および右サイドのオーディオチャネル上のオーディオコンテンツは、サブウーファールータ２０６の分離セクション１４１６内のフィルタバンク１３０４内に含有される高域通過フィルタ１４１０および低域通過フィルタ１４１２によって経路指定される。さらに、左および右前のチャネルのオーディオコンテンツは、分離セクション１４１６内の高域通過フィルタ１４１０および低域通過フィルタ１４１２によって経路指定される。
【００９０】
分離セクション１４１６内において、左前、右前、左サイド、右サイド、左後ろ、および右後ろのオーディオチャネル上のオーディオコンテンツは、それぞれの高域通過フィルタ１４１０および低域通過フィルタ１４１２によって低周波数部および高周波数部に選択的に分離されてもよい。低周波数部（サブオーディオコンテンツ）からの高周波数部の分離を、約８０Ｈｚ等の所定の同調可能なサブウーファー中心周波数で動作する２次Ｌｉｎｋｗｉｔｚ−Ｒｉｌｅｙフィルタによって実行してもよい。他の例において、有限インパルス応答（ＦＩＲ）フィルタ等の、他の２次フィルタ、より高い次数のフィルタ、またはフィルタあるいは信号処理の他の種類または組み合わせを、同様の結果を実現するために、利用してもよい。さらに、約４０Ｈｚ〜約２００Ｈｚの範囲内のいずれか等の他の所定の同調可能な中心周波数を使用してもよい。
【００９１】
第２のルータモジュール１３０６内に含まれるサブ加算セクション１４２０において、左サイドおよび右サイドからの分散オーディオチャネルのうちの１つ以上から分離されたオーディオコンテンツの低周波数部を、右の加算器１４２２および左の加算器１４２４と、別々に組み合わされてもよい。図１４において、左の加算器１４２２は、左前チャネルからオーディオコンテンツの低域部を受信し、さらに、左サイドのサブオーディオコンテンツを形成するように、サイドのバイパススイッチ１４０６および後ろのバイパススイッチ１４０８の位置に従って、左サイドのチャネルおよび左後ろのチャネルの低周波数部を受信してもよい。右の加算器１４２４は、右前チャネルからオーディオコンテンツの低域部分を受信し、さらに、左サイドのサブオーディオコンテンツを形成するように、サイドのバイパススイッチ１４０６および後ろのバイパススイッチ１４０８の位置に従って、右サイドのチャネルおよび右後ろのチャネルの低周波数部を受信してもよい。他の例において、分散オーディオチャネルから分離されたサブオーディオコンテンツのいずれかの他の構成を、右および左の加算器１４２２および１４２４によって合計してもよい。合計された左のサブオーディオコンテンツは、左の加算器１４２２によって供給されてもよく、合計された右のサブオーディオコンテンツは、右の加算器１４２４によって供給されてもよい。
【００９２】
第２の経路指定セクション１３０６内に含まれる位相整列セクション１４２６において、全域通過フィルタ１４３０による位相調整および時間遅延１４２８による時間遅延を、合計された左の低周波数オーディオコンテンツおよび合計された右の低周波数オーディオコンテンツに適用してもよい。図１４において、合計された左の低周波数オーディオコンテンツおよび合計された右の低周波数オーディオコンテンツは、全域通過フィルタ１４３０によって位相調整される。さらに、中央のチャネル上のオーディオコンテンツは、他の分散オーディオチャネルによって位相整列を維持するように、全域通過フィルタ１４３０によって位相調整される。第２の経路指定セクション１３０６の加算セクション１４３２において、加算器１４３４は、サブチャネルを形成するように、合計された右の低周波数オーディオコンテンツと、合計された左の低周波数オーディオコンテンツを組み合わせてもよい。サブウーファールータ２０６の出力セクション１４３６は、サブチャネルおよび分散チャネル（Ｒ、Ｌ、Ｃ、ＲＳ、ＬＳ、ＬＲ、ＲＲ）を出力してもよい。
【００９３】
図１５は、図１〜１４を参照して記載されたスペクトル管理システム１３０の例示的な動作の流れ図である。スペクトル管理システム１３０は、ブロック１５０２において少なくとも２つのオーディオチャネル（例えば左および右のオーディオチャネル）を有するオーディオ信号を受信する。ブロック１５０４において、受信されたオーディオチャネルは、低音コンバータ２０２によって処理される。低音コンバータ２０２は、ブロック１５０６において、所定の同調可能な低音中心周波数に基づく高域および低域通過フィルタバンクによって、分散オーディオチャネルのうちの１つ以上の上におけるオーディオコンテンツの高周波数部から、オーディオコンテンツの低周波数部を分離する。分散オーディオチャネルのそれぞれの分離された低周波数部は、ブロック１５０８において右の混合低音オーディオ信号および左の混合低音オーディオ信号を形成するように合計される。
【００９４】
ブロック１５１０において、オーディオ信号が、ＬＦＥチャネルを含むかどうかが決定される。オーディオ信号がＬＦＥチャネルを含む場合、ブロック１５１２において、ＬＦＥ信号上のオーディオコンテンツは半分に分割され、ＬＦＥチャネルオーディオコンテンツの半分は、右の混合低音オーディオ信号および左の混合低音オーディオ信号のそれぞれに組み合わされる。右および左の混合低音オーディオ信号は、モノラル（０％）または１％〜１００％のステレオのレベルで分散オーディオチャネル内に含まれる経路指定されたオーディオバスコンテンツを提供するように、ブロック１５１４において、分散オーディオチャネルに経路指定されたオーディオバスコンテンツとして分散される。ブロック１５１０において、入力オーディオ信号がＬＦＥチャネルを含まない場合、動作はブロック１５１４に直接進む。
【００９５】
ブロック１５１６において、低音コンバータ２０２から受信された適合された分散オーディオチャネルのうちの少なくともいくつかは、所定の同調可能な中低音中心周波数に基づいて、オーディオコンテンツの高周波数部からオーディオコンテンツ（中低音オーディオコンテンツ）の低周波数部を分離するように、分散チャネルオーディオコンテンツルータ２０４によって、および、特に、低音ルータ２１０によって処理される。中低音オーディオコンテンツは、所定の設定またはＡＥＳ１０２の動作上の変更可能なパラメータに基づいて、ブロック１５１８において他の分散オーディオチャネルに再経路指定される。図１６において、中低音オーディオコンテンツは、ブロック１５２０において分散オーディオチャネル上の残りのオーディオコンテンツと組み合わされる。ブロック１５２２において、サブウーファールータ２０６によって、低音ルータ２１０から受信された適合された分散オーディオチャネルのうちの少なくともいくつかは、所定の設定またはＡＥＳ１０２の動作上の変更可能なパラメータに基づいて、オーディオコンテンツの低周波数部を経路指定するように、フィルタ処理するために選択される。フィルタ処理のために選択された分散オーディオチャネルは、ブロック１５２６において、所定の同調可能なサブ中心周波数に基づいて、オーディオコンテンツの低周波数部およびオーディオコンテンツの高周波数部に分離される。ブロック１５２８において、サブチャネルは、サブチャネルを形成するように、分離されたサブオーディオコンテンツを経路指定および組み合わせすることにより、サブウーファールータ２０６によって生成される。分散チャネルは、ブロック１５３０において、サブウーファールータ２０６により、オーディオコンテンツの残りおよびいずれかのフィルタされていないオーディオコンテンツから形成される。
【００９６】
分散チャネルおよびサブチャネルは、ブロック１５３２において、分散チャネルオーディオコンテンツルータ２０４、および特に、サブウーファールータ２０６からの高音ルータ２０８に供給され、分散オーディオチャネルのうちの少なくともいくつかが、所定の設定またはＡＥＳ１０２の動作上の変更可能なパラメータに基づいて、オーディオコンテンツの高周波数部を経路指定するように、フィルタ処理するために選択される。フィルタ処理のために選択された分散オーディオチャネルは、ブロック１５３４において、所定の同調可能な高音中心周波数に基づいて、オーディオコンテンツの高周波数部（高音オーディオコンテンツ）およびオーディオコンテンツの低周波数部に分離される。ブロック１５３６において、オーディオチャネルのうちの１つ以上からの高音オーディオコンテンツは、所定の設定またはＡＥＳ１０２の動作上の変更可能なパラメータに基づいて、他のオーディオチャネルに経路指定される。分散オーディオチャネルは、ブロック１５３８において、再経路指定された高周波数部および分散オーディオチャネル上のいずれかのフィルタされていないオーディオコンテンツを含むように形成される。ブロック１５４０において、適合された分散オーディオチャネルおよびサブチャネルは、それぞれのオーディオチャネルに連結されたラウドスピーカを駆動するように、スペクトル管理システム１３０によって供給される。
【００９７】
本発明の種々の実施形態が説明されたが、さらに多くの実施形態および実装が、発明の範囲内で可能であることは、当業者には明白であるだろう。故に、本発明は、限定されるものではなく、但し、添付の請求項およびその同等物に照らして考慮される。
【図１】
2015167413.tif 000005
【図２】
2015167413.tif 000006
【図３】
2015167413.tif 000007
【図４】
2015167413.tif 000008
【図５】
2015167413.tif 000009
【図６】
2015167413.tif 000010
【図７】
2015167413.tif 000011
【図８】
2015167413.tif 000012
【図９】
2015167413.tif 000013
【図１０】
2015167413.tif 000014
【図１１】
2015167413.tif 000015
【図１２】
2015167413.tif 000016
【図１３】
2015167413.tif 000017
【図１４】
2015167413.tif 000018
【図１５】
2015167413.tif 000019
【図１６】
2015167413.tif 000020
【外国語明細書】
2015167413000001.pdf